(57)【要約】【課題】小絵柄部でのインキの過剰供給と大中絵柄部でのインキ供給量の不足とを同時に解消し、オペレータの負担を軽減する。【解決手段】インキ呼出停止用エアシリンダ駆動装置２３によってインキ呼出しロールの揺動(インキ呼出し動作)を間欠的に停止させる場合、インキツボキーの開き量の設定値θ１〜θｎを補正する。この場合、インキツボキーの開き量の設定値θ１〜θｎの補正は、小絵柄部を除く大中絵柄部についてのみ行い、その設定値に予め定められた補正係数αを掛けた値だけ大きくする。なお、インキツボローラの送り量の設定値ＲＳを、その設定値に予め定められた補正係数βを掛けた値だけ大きくするように補正してもよい。また、インキツボキーの開き量の実際値θ１ｐｖ〜θｎｐｖやインキツボローラの送り量の実際値ＲＳｐｖを補正するようにしてもよい。【選択図】        図１
2004202945.tif 000002
【特許請求の範囲】
【請求項１】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキ呼出しロール間欠停止手段によって前記インキ呼出しロールの揺動を間欠的に停止させる場合、前記インキツボキーに対する前記インキツボローラとの間の隙間量を補正する
ことを特徴とする印刷機のインキ供給量制御方法。
【請求項２】
請求項１に記載された印刷機のインキ供給量制御方法において、
前記インキツボキーに対する前記インキツボローラとの間の隙間量の補正は、前記インキツボキーと前記インキツボローラとの間の隙間が予め定められている値よりも大きいもののみに対して行う
ことを特徴とする印刷機のインキ供給量制御方法。
【請求項３】
請求項２に記載された印刷機のインキ供給量制御方法において、
前記インキツボキーに対する前記インキツボローラとの間の隙間量の補正は補正後の値が大きくなる
ことを特徴とする印刷機のインキ供給量制御方法。
【請求項４】
請求項２に記載された印刷機のインキ供給量制御方法において、
前記インキツボキーに対する前記インキツボローラとの間の隙間量の補正は予め定められた補正係数を掛けた値だけ補正後の値が大きくなる
ことを特徴とする印刷機のインキ供給量制御方法。
【請求項５】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキ呼出しロール間欠停止手段によって前記インキ呼出しロールの揺動を間欠的に停止させる場合、前記インキツボローラの回転量を補正する
ことを特徴とする印刷機のインキ供給量制御方法。
【請求項６】
請求項５に記載された印刷機のインキ供給量制御方法において、
前記インキツボローラの回転量の補正は補正後の値が大きくなる
ことを特徴とする印刷機のインキ供給量制御方法。
【請求項７】
請求項５に記載された印刷機のインキ供給量制御方法において、
前記インキツボローラの回転量の補正は予め定められた補正係数を掛けた値だけ補正後の値が大きくなる
ことを特徴とする印刷機のインキ供給量制御方法。
【請求項８】
請求項１又は５に記載された印刷機のインキ供給量制御方法において、
前記インキツボキーに対する前記インキツボローラとの間の隙間量が所定の範囲にあるインキツボキーの数をカウントし、
このカウントしたインキツボキーの数が所定数よりも大きい場合に前記インキ呼出しロール間欠停止手段を作動させる
ことを特徴とする印刷機のインキ供給量制御方法。
【請求項９】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキ呼出しロール間欠停止手段によって前記インキ呼出しロールの揺動を間欠的に停止させる場合、前記インキツボキーに対する前記インキツボローラとの間の隙間量を補正する補正手段
を備えたことを特徴とする印刷機のインキ供給量制御装置。
【請求項１０】
請求項９に記載された印刷機のインキ供給量制御装置において、
前記補正手段は、前記インキツボキーに対する前記インキツボローラとの間の隙間量のうち予め定められている値よりも大きいもののみを補正する
ことを特徴とする印刷機のインキ供給量制御装置。
【請求項１１】
請求項１０に記載された印刷機のインキ供給量制御装置において、
前記補正手段による前記インキツボキーに対する前記インキツボローラとの間の隙間量の補正は補正後の値が大きくなる
ことを特徴とする印刷機のインキ供給量制御装置。
【請求項１２】
請求項１０に記載された印刷機のインキ供給量制御装置において、
前記補正手段による前記インキツボキーに対する前記インキツボローラとの間の隙間量の補正は予め定められた補正係数を掛けた値だけ補正後の値が大きくなる
ことを特徴とする印刷機のインキ供給量制御装置。
【請求項１３】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキ呼出しロール間欠停止手段によって前記インキ呼出しロールの揺動を間欠的に停止させる場合、前記インキツボローラの回転量を補正する補正手段
を備えたことを特徴とする印刷機のインキ供給量制御装置。
【請求項１４】
請求項１３に記載された印刷機のインキ供給量制御装置において、
前記補正手段は、前記インキツボローラの回転量を大きくなるように補正する
ことを特徴とする印刷機のインキ供給量制御装置。
【請求項１５】
請求項１３に記載された印刷機のインキ供給量制御装置において、
前記補正手段は、前記インキツボローラの回転量を予め定められた補正係数を掛けた値だけ大きくなるように補正する
ことを特徴とする印刷機のインキ供給量制御装置。
【請求項１６】
請求項９又は１３に記載された印刷機のインキ供給量制御装置において、
前記インキツボキーに対する前記インキツボローラとの間の隙間量が所定の範囲にあるインキツボキーの数をカウントするカウント手段と、
このカウント手段によりカウントされたインキツボキーの数が所定数よりも大きい場合に前記インキロール間欠停止手段を作動させる手段と
を備えたことを特徴とする印刷機のインキ供給量制御装置。
【請求項１７】
請求項１に記載された印刷機のインキ供給量制御方法において、
前記インキツボキーに対するインキツボローラとの間の隙間量は、前記刷版の絵柄面積率に応じて補正されることを特徴とする印刷機のインキ供給量制御方法。
【請求項１８】
請求項５に記載された印刷機のインキ供給量制御方法において、
前記インキツボローラの回転量は、前記刷版の絵柄面積率に応じて補正されることを特徴とする印刷機のインキ供給量制御方法。
【請求項１９】
請求項９に記載された印刷機のインキ供給量制御装置において、
前記インキツボキーに対するインキツボローラとの間の隙間量は、前記刷版の絵柄面積率に応じて補正されることを特徴とする印刷機のインキ供給量制御装置。
【請求項２０】
請求項１３に記載された印刷機のインキ供給量制御装置において、
前記インキツボローラの回転量は、前記刷版の絵柄面積率に応じて補正されることを特徴とする印刷機のインキ供給量制御装置。
【発明の詳細な説明】
【０００１】
【発明の属する技術分野】
この発明は、印刷機のインキ供給量制御に関し、より具体的には、インキ呼出しロールの揺動（インキ呼出し動作）を間欠的に停止させることによって、絵柄が少ない印刷物における濃度ムラなどの発生を抑えることができるようにした印刷機のインキ供給量制御方法および装置に関するものである。
【０００２】
【従来の技術】
従来より、印刷機におけるインキ供給量は、インキツボキーとインキツボローラとの間の隙間量によって制御されている。図２５に輪転印刷機における各色の印刷ユニット内のインキ供給装置（インカー）の要部を示す。同図において、１はインキツボ、２はインキツボ１に蓄えられたインキ、３はインキツボローラ、４（４−１〜４−ｎ）はインキツボローラ３の軸方向に複数並設されたインキツボキー、５はインキ呼出しロール、６はインキローラ群、７は刷版、８は版胴であり、刷版７は版胴８に装着されている。図２６は４色輪転印刷機を示す側面図である。同図において、９−１〜９−４は各色の印刷ユニットであり、この印刷ユニット９−１〜９−４内に上述したインキ供給装置が各個に設けられている。
【０００３】
この印刷機では、インキツボローラ３の回転によって、インキツボキー４とインキツボローラ３との間の隙間からインキツボ１内のインキがインキツボローラ３に供給される。インキツボローラ３に供給されたインキは、インキ呼出しロール５の揺動により、インキツボローラ３からインキ呼出しロール５に移され、インキ呼出しロール５からインキロール（練ロール）６−１に移される。インキロール６−１に移されたインキは、インキローラ群６で練られた後、インキ着ロール６−２に移され、刷版７に供給される。刷版７に供給されたインキは、図示されていないゴム胴を介して、印刷用紙に印刷される。
【０００４】
インキツボキー４−１〜４−ｎとインキツボローラ３との間の隙間量（インキツボキー４−１〜４−ｎの開き量）は、インキツボキー４−１〜４−ｎに対応する刷版７の各エリアの絵柄面積率に応じて設定される。例えば、予め設定されている「絵柄面積率−インキツボキー開き量変換カーブ」に従ってインキツボキー４−１〜４−ｎの開き量の設定値が求められ、この設定値に合致するようにインキツボキー４−１〜４−ｎの開き量が調整される。また、インキツボローラ３の回転量（送り量）は、予めその値が定められる。このインキツボキー４−１〜４−ｎの開き量の設定およびインキツボローラ３の送り量の設定は各色の印刷ユニット９（９−１〜９−４）毎に行われる。
【０００５】
各色の印刷ユニット９内のインキ供給装置において、インキ呼出しロール５は、インキツボローラ３とインキロール６−１との間を往復揺動し、インキロール６−１へインキを受け渡す。その往復動作（インキ呼出し動作）は、インキ受け渡し量を一定にするため、版胴８の回転（印刷機の回転）と同調するように、印刷機と同一の駆動源により行い、例えば、版胴８の６回転に対し、これに連動して回転する駆動用カムの１回転によって、インキ呼出しロール５を１回往復揺動させている。
【０００６】
最近の印刷機では、印刷機の高速化により、印刷紙へのインキ供給量とインキツボキー開閉のバランスが微妙になり、インキ供給量を安定させるのが困難になってきた。特に、絵柄が少ない印刷物（小絵柄の印刷物）に対しては、インキがインキ供給装置内に余分に供給されてしまい、それが濃度ムラなどが発生する原因となっていた。
【０００７】
そこで、下記の特許文献１に示されたインキ呼出し装置では、インキ呼出しロールの揺動を間欠的に停止させることによって、インキ供給装置内へのインキの供給量を少なくし、小絵柄の印刷物における濃度ムラなどの発生を抑えるようにしている。間欠的に停止させるにあたっては、例えば、インキ呼出しロールを往復揺動させる駆動用カムと同軸回転する回転軸の回転数をセンサで検出し、その回転数に対する整数比の割合で、エアシリンダを作動させ、インキ呼出しロールをインキロール側に押し付けて、インキ呼出しロールの往復動作を停止させるようにしている。
【０００８】
【特許文献１】
特開平５−１４７２００号公報（第２−３頁、第１図、第５図）
【０００９】
【発明が解決しようとする課題】
しかしながら、インキ呼出しロールの揺動を間欠的に停止させるようにした場合、絵柄面積率が小さい部分（小絵柄部）ではインキの過剰な供給を抑えることができるが、逆に絵柄面積率が小さくない部分（大中絵柄部）のインキ供給量が不足する。このため、オペレータが試刷りを繰り返しながらインキツボキーの開き量やインキツボローラの送り量を調整しなければならなくなり、余分な時間がかかる、オペレータに負担がかかる、印刷資材が無駄になる、作業効率が悪くなる等の問題があった。
【００１０】
本発明はこのような課題を解決するためになされたもので、その目的とするところは、小絵柄部でのインキの過剰供給と大中絵柄部でのインキ供給量の不足とを同時に解消し、オペレータの負担を軽減することができる印刷機のインキ供給量制御方法および装置を提供することにある。
【００１１】
【課題を解決するための手段】
このような目的を達成するために本発明は、インキツボローラと、このインキツボローラの軸方向に並設された複数のインキツボキーと、インキツボローラからの刷版へのインキの供給通路に揺動自在に設けられたインキ呼出しロールと、このインキ呼出しロールを印刷機の回転に同調させて揺動させるインキ呼出しロール揺動手段と、インキ呼出しロールの揺動を停止させるインキ呼出しロール停止手段と、このインキ呼出しロール停止手段を作動させてインキ呼出しロールの揺動を間欠的に停止させるインキ呼出しロール間欠停止手段とを備え、インキツボローラの回転によってインキツボキーとインキツボローラとの間の隙間からインキツボローラに供給されたインキを、インキ呼出しロールの揺動動作によって刷版に供給し、この刷版に供給されたインキを印刷用紙に印刷する印刷機において、インキ呼出しロール間欠停止手段によってインキ呼出しロールの揺動を間欠的に停止させる場合、インキツボキーに対するインキツボローラとの間の隙間量を補正するようにしたものである。
【００１２】
この発明によれば、インキ呼出しロールの揺動を間欠的に停止させる場合には、すなわちインキ呼出しロールの呼出し回数を間引いて小絵柄部でのインキの過剰供給を抑えようとする場合には、インキツボキーに対するインキツボローラとの間の隙間量（インキツボキーの開き量）が補正される。ここで、補正するインキツボキーの開き量は絵柄面積率などに応じて定められる設定値としてもよく、ポテンショメータなどによって検出される実際値としてもよい。
この場合、インキツボキーの開き量の補正は、予め定められている値よりも大きいもののみに対して行う。これにより、小絵柄部を除く大中絵柄部についてのみ、インキツボキーの開き量を補正する。この時、インキツボキーの開き量を大きくなるように補正すれば、１回の呼出しにおける大中絵柄部へのインキの供給量が増大し、呼出し回数を間引いたことによる減少分を補償することができる。なお、インキツボキーの開き量の補正方法として、予め定められた補正係数を掛けた値だけ大きくするという方法が考えられる。
【００１３】
上述の発明では、インキ呼出しロール間欠停止手段によってインキ呼出しロールの揺動を間欠的に停止させる場合、インキツボキーの開き量を補正するようにしたが、インキツボローラの回転量（インキツボローラの送り量）を補正するようにしてもよい。ここで、インキツボローラの回転量は、予め定められる設定値としてもよく、タコジェネレータなどによって検出される実際値としてもよい。この時、インキツボローラの送り量を大きくなるように補正すれば、後述するように、インキツボキーの開き量が小さい小絵柄部に比べ、インキツボキーの開き量が大きい大中絵柄部へのインキの供給量が増大する。なお、インキツボローラの送り量の補正方法として、予め定められた補正係数を掛けた値だけ大きくするという方法が考えられる。
【００１４】
本発明では、インキ呼出しロールの揺動を間欠的に停止させる場合には、すなわちインキ呼出しロールの呼出し回数を間引き運転する場合には、インキツボキーの開き量の補正、あるいはインキツボローラの送り量の補正が同時に行われるが、インキ呼出しロールの呼出し回数を間引き運転するか否かの判断は、オペレータの判断による手動方式としてもよいし、オペレータの判断によらない自動方式としてもよい。
【００１５】
自動方式とする場合、例えば、インキツボキーの開き量が所定値よりも小さい（開き量＜所定値）インキツボキーの数をカウントし、このカウントしたインキツボキーの数が所定数よりも大きい場合に、インキ呼出しロールの呼出し回数の間引き運転が必要であると判断し、インキ呼出しロール間欠停止手段を作動させる。すなわち、小絵柄部の数をカウントし、小絵柄部の数が所定数よりも多い場合に、インキ呼出しロール間欠停止手段を作動させる。
【００１６】
なお、インキツボキーの開き量が零よりも大きく所定値よりも小さい（０＜開き量＜所定値）インキツボキーの数をカウントし、このカウントしたインキツボキーの数が所定数よりも大きい場合に、インキ呼出しロール間欠停止手段を作動させるようにしてもよい。
【００１７】
また、カウントしたインキツボキーの数とインキツボキー全体の数との割合を求め、この求めた割合が予め設定されている割合よりも大きい場合にインキ呼出しロール間欠停止手段を作動させたり、インキツボキーの開き量が零よりも大きく所定値よりも小さい（０＜開き量＜所定値）インキツボキーの数をカウントし、このカウントしたインキツボキーの数と印刷に使用するインキツボキーの数との割合を求め、この求めた割合が予め設定されている割合よりも大きい場合にインキ呼出しロール間欠停止手段を作動させるようにしてもよい。
【００１８】
【発明の実施の形態】
以下、本発明を図面に基づいて詳細に説明する。
〔実施の形態１：手動方式〕
先ず、実施の形態１として、「間欠停止＋補正」を行うか否かをオペレータの判断により指示する方式（手動方式）について説明する。
【００１９】
図１はこの発明に係る印刷機のインキ供給量制御装置の一実施の形態（実施の形態１）を示すブロック図である。同図において、１０はＣＰＵ、１１はＲＯＭ、１２はＲＡＭ、１３はスイッチ群、１４は表示器、１５はフレキシブルディスク又は磁気カードドライブ（ドライブ装置）、１６はプリンタ、１７〜２０は入出力インターフェイス（Ｉ／Ｏ）、Ｍ１〜Ｍ１１はメモリ、２１はインキツボキー駆動装置、２２はインキツボローラ駆動装置、２３は呼出し停止用エアシリンダ駆動装置である。スイッチ群１３には補正ボタン１３−１が設けられている。
【００２０】
ＣＰＵ１０は、インターフェイス１７を介して与えられる各種入力情報を得て、ＲＡＭ１２にアクセスしながら、ＲＯＭ１１に格納されたプログラムに従って動作する。ＲＯＭ１１には各色の印刷ユニット９における刷版７へのインキ供給量を制御するためのプログラム（インキ供給量制御プログラム）が格納されている。なお、このインキ供給量制御プログラムは、例えばＣＤ−ＲＯＭなどの記録媒体に記録された状態で提供し、この記録媒体から読み出してハードディスク（図示せず）にインストールするようにしてもよい。
【００２１】
インキツボキー駆動装置２１はインキツボキー４−１〜４−ｎに対応して各個に設けられている。すなわち、ｎ個のインキツボキー４（４−１〜４−ｎ）に対し、ｎ個のインキツボキー駆動装置２１（２１−１〜２１−ｎ）が設けられている。これらインキツボキー駆動装置２１−１〜２１−ｎによって、インキツボキー４−１〜４−ｎのインキツボローラ３に対する開き量が各個に調整される。インキツボキー駆動装置２１−１〜２１−ｎは、それぞれインキツボキーモータドライバ２１Ａと、インキツボキーモータ２１Ｂと、ロータリエンコーダ２１Ｃとを備えている。インキツボキー駆動装置２１−１〜２１−ｎは各色のインキツボキー４−１〜４−ｎに対して設けられている。
【００２２】
インキツボローラ駆動装置２２は各色のツボローラ３に対応して個別に設けられている。すなわち、４色輪転印刷機において、インキツボローラ駆動装置２２は４個のインキツボローラ駆動装置２２−１〜２２−４から構成され、これらインキツボローラ駆動装置２２−１〜２２−４によって、各色のインキツボローラ３の送り量が個別に調整される。インキツボローラ駆動装置２２−１〜２２−４は、それぞれインキツボローラモータドライバ２２Ａと、インキツボローラモータ２２Ｂと、ロータリエンコーダ２２Ｃとを備えている。
【００２３】
呼出し停止用エアシリンダ駆動装置２３は各色のインキ呼出しロール５に対応して個別に設けられている。すなわち、４色輪転印刷機において、呼出し停止用エアシリンダ駆動装置２３は４個の呼出し停止用エアシリンダ駆動装置２３−１〜２３−４から構成され、これら呼出し停止用エアシリンダ駆動装置２３−１〜２３−４によって、各色のインキ呼出しロール５の呼出し動作が間欠的に停止される。
【００２４】
呼出し停止用エアシリンダ駆動装置２３−１〜２３−４は、それぞれ呼出し停止開始用カウンタ２３Ａと、呼出しカウンタリセット用カウンタ２３Ｂと、フリップフロップ回路２３Ｃと、呼出し停止用エアシリンダ２３Ｄとを備えている。呼出し停止開始用カウンタ２３Ａおよび呼出しカウンタリセット用カウンタ２３Ｂには、インキ呼出しカム回転検出用センサ２５より、インキ呼出しロール５を往復揺動させる駆動用カムと同軸回転する回転軸の１回転毎に、１パルスの信号が与えられる。
【００２５】
メモリＭ１には、ドライブ装置１５にセットされる記録媒体などから読み取られる、各色の印刷ユニット９における版胴８に装着される刷版７の絵柄データが書き込まれる。
メモリＭ２には、ドライブ装置１５にセットされる記録媒体などから読み取られる、各色の印刷ユニット９におけるインキツボローラ３の送り量データＲＳ（ＲＳ１〜ＲＳ４）が書き込まれる。
メモリＭ３には、各色ごとの「絵柄面積率−インキツボキー開き量変換カーブ」が格納される。
【００２６】
メモリＭ４には、スイッチ群１３におけるオペレータのキー操作によって設定される、各色の印刷ユニット９におけるインキ呼出しロール５の呼出し動作の停止回数Ｗ（Ｗ１〜Ｗ４）が書き込まれる。ここで「呼出し動作の停止回数」とは呼出し動作を停止させる割合を表し、本実施の形態においては、１回の呼出し動作に対する呼出し動作の間引き数または間引く割合であり、たとえば停止回数Ｗ＝１であれば、１回休んで１回呼出し動作を行う（本来ならば呼出し動作を２回行うところを１回停止する）ことを意味し、停止回数Ｗ＝２であれば、２回休んで１回呼出し動作（本来ならば呼出し動作を３回行うところを２回停止する）を行うことを意味する。
【００２７】
メモリＭ５には、スイッチ群１３におけるオペレータのキー操作によって設定される、各色の印刷ユニット９におけるインキツボキー４−１〜４−ｎに対しての小絵柄部か否かを判断するためのインキツボキーの開き量に対する所定値が小絵柄部判定値θｓ（θｓ１〜θｓ４）として書き込まれる。
メモリＭ６には、各色の印刷ユニット９におけるインキツボキー４−１〜４−ｎに対する開き量の設定値θ１〜θｎを後述する処理によって補正した開き量の補正値θ１’〜θｎ’が書き込まれる。
【００２８】
メモリＭ７には、スイッチ群１３におけるオペレータのキー操作によって設定される、各色の印刷ユニット９におけるインキツボキー４−１〜４−ｎに対しての開き量の補正係数α（α１〜α４）が書き込まれる。なお、補正係数αは、α＞０の任意の値として設定される。
【００２９】
メモリＭ８には、オペレータのキー操作によって設定される停止回数Ｗから求められる、各色の印刷ユニット９における呼出し停止用エアシリンダ駆動装置２３における呼出し停止開始用カウンタ２３Ａに設定する設定値Ｃ１（Ｃ１1 〜Ｃ１4 ）が書き込まれる。
メモリＭ９には、オペレータのキー操作によって設定される停止回数Ｗから求められる、各色の印刷ユニット９における呼出し停止用エアシリンダ駆動装置２３における呼出しカウンタリセット用カウンタ２３Ｂに設定する設定値Ｃ２（Ｃ２1 〜Ｃ２4 ）が書き込まれる。
【００３０】
メモリＭ１０には、スイッチ群１３におけるオペレータのキー操作によって設定される、各色の印刷ユニット９におけるインキツボローラ３に対しての送り量の補正係数β（β１〜β４）が書き込まれる。なお、補正係数βは、β＞０の任意の値として設定される。
メモリＭ１１には、各色の印刷ユニット９におけるインキツボローラ３の送り量の設定値ＲＳ（ＲＳ１〜ＲＳ４）を後述する処理によって補正した送り量の補正値ＲＳ’（ＲＳ１’〜ＲＳ４’）が書き込まれる。
【００３１】
〔動作例１：間欠停止＋インキツボキーの開き量の補正〕
このインキ供給量制御装置における印刷開始前の特徴的な動作（動作例１）について、図２および図３に分割して示したフローチャートに従って説明する。印刷ユニット９−１〜９−４のそれぞれにおいて、同様の動作が行われるので、ここでは１つの印刷ユニット９での動作例として説明する。
【００３２】
なお、この動作に入る前に、メモリＭ３には各色ごとの「絵柄面積率−インキツボキー開き量変換カーブ」が格納されているものとする。また、スイッチ群１３におけるオペレータのキー操作によって、各色の印刷ユニット９におけるインキツボキー４−１〜４−ｎに対しての小絵柄部判定値θｓ（θｓ１〜θｓ４）がメモリＭ５に、各色の印刷ユニット９におけるインキツボキー４−１〜４−ｎに対しての開き量の補正係数α（α１〜α４）がメモリＭ７に書き込まれているものとする。
【００３３】
〔絵柄データ、送り量データの読み取り、記憶〕
ＣＰＵ１０は、ドライブ装置１５にセットされる記録媒体などから印刷ユニット９の版胴８に装着される刷版７の絵柄データ、および印刷ユニット９のインキツボローラ３の送り量データＲＳを読み取り、絵柄データをインキツボキー４−１〜４−ｎに対する開き量の設定値としてメモリＭ１に、送り量データＲＳをインキツボローラ３に対する送り量の設定値としてメモリＭ２に書き込む（ステップ１０１，１０２）。
【００３４】
絵柄データとしては、印刷ユニット９におけるインキツボキー４−１〜４−ｎに対応する刷版７の各エリアの絵柄面積率データＳ１〜Ｓｎが入力されることもあるし、インキツボキー４−１〜４−ｎに対応する刷版７の各エリアの絵柄面積率をインキツボキー４−１〜４−ｎの開き量に変換したインキツボキー開き量データθ１〜θｎが入力されることもある。
【００３５】
入力された絵柄データが絵柄面積率データであった場合（ステップ１０３のＹＥＳ）、ＣＰＵ１０は、メモリＭ３に格納されている印刷ユニット９用の「絵柄面積率−インキツボキー開き量変換カーブ」を読み出し（ステップ１０４）、この読み出した「絵柄面積率−インキツボキー開き量変換カーブ」を用いて絵柄面積率データＳ１〜Ｓｎをインキツボキー開き量θ１〜θｎに変換し、メモリＭ１に格納し直す（ステップ１０５）。入力された絵柄データがインキツボキー開き量データであった場合（ステップ１０３のＮＯ）、ＣＰＵ１０は、ステップ１０４，１０５を経ずに、直ちにステップ１０６へ進む。これにより、メモリＭ１には、インキツボキー４−１〜４−ｎの開き量θ１〜θｎが設定値として書き込まれることになる。
【００３６】
〔インキ呼出し動作の間欠停止準備〕
ステップ１０６において、ＣＰＵ１０は、印刷ユニット９におけるインキ呼出しロール５に対する停止回数Ｗの入力を待つ。スイッチ群１３におけるオペレータのキー操作によって、停止回数Ｗが入力されると（ステップ１０６のＹＥＳ）、この停止回数ＷをメモリＭ４に書き込む（ステップ１０７）。
【００３７】
また、ＣＰＵ１０は、停止回数Ｗより呼出し停止用エアシリンダ駆動装置２３における呼出し停止開始用カウンタ２３Ａへの設定値Ｃ１および呼出しカウンタリセット用カウンタ２３Ｂへの設定値Ｃ２を求め、それぞれメモリＭ８およびＭ９に書き込む（ステップ１０８）。また、設定値Ｃ１を呼出し停止開始用カウンタ２３Ａへ、設定値Ｃ２を呼出しカウンタリセット用カウンタ２３Ｂへ送り、セットする（ステップ１０９、１１０）。
【００３８】
例えば、停止回数Ｗが１回であった場合、本来ならば呼出し動作を２回行うところを１回停止すると判断し、呼出し停止開始用カウンタ２３Ａへの設定値Ｃ１をＣ１＝１、呼出しカウンタリセット用カウンタ２３Ｂへの設定値Ｃ２をＣ２＝２とする。この呼出し停止開始用カウンタ２３Ａおよび呼出しカウンタリセット用カウンタ２３Ｂへの設定値Ｃ１，Ｃ２のセットにより、印刷ユニット９におけるインキ呼出しロール５のインキ呼出し動作の間欠停止の準備が整う。ここで、実際に印刷することも可能である。
【００３９】
〔インキ呼出し動作の間欠停止〕
印刷ユニット９におけるインキ呼出し動作の間欠停止について、停止回数Ｗが１回である場合を例にとって説明しておく。印刷機の運転が開始されると、呼出し停止開始用カウンタ２３Ａおよび呼出しカウンタリセット用カウンタ２３Ｂには、印刷機の回転に同調してインキ呼出しロール５を往復揺動させる駆動用カムと同軸回転する回転軸の１回転毎に、インキ呼出しカム回転検出用センサ２５より１パルスの信号（センサ信号）が与えられる。
【００４０】
呼出し停止開始用カウンタ２３Ａは、このセンサ信号をＣ１回（この例では、１回）カウントすると、フリップフロップ回路２３ＣのＳ入力に「Ｈ」レベルを出力してフリップフロップ回路２３Ｃをセット状態とし、そのＱ出力を「Ｈ」レベルとする。このフリップフロップ回路２３Ｃからの「Ｈ」レベルのＱ出力を受けて、呼出し停止用エアシリンダ２３Ｄが作動し、インキ呼出しロール５をインキローラ６−１側に押し付け、インキ呼出し動作を停止させる。インキ呼出し動作の停止状態であっても、インキ呼出しロール５を往復揺動させる駆動用カムと同軸回転する回転軸は回転を続けるので、呼出し停止開始用カウンタ２３Ａおよび呼出しカウンタリセット用カウンタ２３Ｂへのセンサ信号は入力され続ける。
【００４１】
呼出しカウンタリセット用カウンタ２３Ｂは、センサ信号をＣ２回（この例では、２回）カウントすると、フリップフロップ回路２３Ｃをリセット状態とし、そのＱ出力を「Ｌ」レベルとする。これにより、呼出し停止用エアシリンダ２３Ｄが非作動状態に戻り、インキ呼出し動作が再開される。また、呼出しカウンタリセット用カウンタ２３Ｂは、センサ信号をＣ２回カウントすると、自己のカウント値および呼出し停止開始用カウンタ２３Ａのカウント値を零に戻し、次のセンサ信号の入力に備える。このようにして、停止回数Ｗが１回とされた場合、１回休んで１回呼出し動作を行うというように、インキ呼出し動作が間欠的に停止される。
【００４２】
〔インキツボキーの開き量の補正〕
ＣＰＵ１０は、ステップ１１１において、スイッチ群１３における補正ボタン１３−１のオンを待つ。印刷した結果を見て、あるいは印刷を開始する前に、オペレータの判断によって補正ボタン１３−１がオンとされると（ステップ１１１のＹＥＳ）、次のようにしてインキツボキーの開き量の補正が行われる。
【００４３】
ＣＰＵ１０は、メモリＭ１から最初のインキツボキーの開き量の設定値θ１を読み出す（ステップ１１２：図３）。また、メモリＭ５から小絵柄部判定値θｓを読み出す（ステップ１１３）。そして、この読み出したインキツボキーの開き量の設定値θ１と小絵柄部判定値θｓとを比較し（ステップ１１４）、θ１＜θｓであればステップ１１５へ進み、θ１≧θｓであればステップ１１６へ進む。
【００４４】
すなわち、θ１＜θｓであれば（ステップ１１４のＮＯ）、インキツボキー４−１に対応する刷版７のエリアは小絵柄部であると判断し、メモリＭ１から読み出したインキツボキーの開き量の設定値θ１をそのままθ１’としてメモリＭ６に書き込む（ステップ１１５）。
【００４５】
これに対し、θ１≧θｓであれば（ステップ１１４のＹＥＳ）、インキツボキー４−１に対応する刷版７のエリアは大中絵柄部であると判断し、メモリＭ７から補正係数αを読み出し（ステップ１１６）、この補正係数αをメモリＭ１から読み出したインキツボキーの開き量の設定値θ１に掛け、設定値θ１に対する補正量を求める（ステップ１１７）。そして、この補正量を設定値θ１に加え、インキツボキーの開き量の補正値θ１’を求め、メモリＭ６に書き込む（ステップ１１８）。これにより、対応するエリアが大中絵柄部であると判断されたインキツボキー４−１に対する開き量の設定値θ１は、その設定値θ１に補正係数αを掛けた値だけ大きくなるように補正される。
【００４６】
次に、ＣＰＵ１０は、メモリＭ１から次のインキツボキーの開き量の設定値θ２を読み出す（ステップ１１９）。また、メモリＭ５から小絵柄部判定値θｓを読み出す（ステップ１２０）。そして、インキツボキーの開き量の設定値θ２と小絵柄部判定値θｓとを比較し（ステップ１２１）、θ２＜θｓであれば、先のステップ１１５と同様にして、設定値θ２をそのままθ２’としてメモリＭ６に書き込む（ステップ１２２）。θ２≧θｓであれば、先のステップ１１６〜１１８と同様にして、メモリＭ７から補正係数αを読み出し（ステップ１２３）、この補正係数αを設定値θ２に掛けて補正量を求め（ステップ１２４）、設定値θ２にこの補正量を加えた値をθ２’としてメモリＭ６に書き込む（ステップ１２５）。
【００４７】
以下同様にして、ＣＰＵ１０は、ステップ１２６においてメモリＭ１からの全てのインキツボキーの開き量の設定値θの読み出しが確認されるまで、ステップ１１９〜１２５の動作を繰り返す。これにより、メモリＭ６には、インキツボキーの開き量の補正値θ１’〜θｎ’が格納される。
【００４８】
ここで、メモリＭ６に格納されたインキツボキーの開き量の補正値θ１’〜θｎ’は、設定値θが小絵柄部判定値θｓよりも小さいものについては実質的には補正されておらず、設定値θが小絵柄部判定値θｓよりも大きいものだけが補正されている。すなわち、インキツボキー４−１〜４−ｎに対するインキツボキーの開き量の設定値θ１〜θｎは、その対応するエリアが小絵柄部（θ＜θｓ）のものについては補正されないが、大中絵柄部（θ≧θｓ）のものについてのみ補正されて大きくなる。
【００４９】
以上のように、この動作例１では、インキツボキーの開き量の設定値θに基づいて、各インキツボキーに対応するエリアが小絵柄部か否かを判定し、小絵柄部でないものについてのみインキツボキーの開き量の設定値θを補正する。
【００５０】
メモリＭ６へのインキツボキーの開き量の補正値θ１’〜θｎ’の格納が完了すると（ステップ１２６のＹＥＳ）、ＣＰＵ１０は、メモリＭ６からインキツボキーの開き量の補正値θ１’〜θｎ’を読み出し（ステップ１２７）、この読み出したインキツボキーの開き量の補正値θ１’〜θｎ’をインキツボキー駆動装置２１のインキツボキーモータドライバ２１Ａへ送る（ステップ１２８）。これにより、インキツボキーモータ２１Ｂが駆動され、印刷ユニット９におけるインキツボキー４−１〜４−ｎの開き量がθ１’〜θｎ’に合わせ込まれるようになる。
【００５１】
また、ＣＰＵ１０は、メモリＭ２からインキツボローラの送り量の設定値ＲＳを読み出し（ステップ１２９）、この読み出したインキツボローラの送り量の設定値ＲＳをインキツボローラ駆動装置２２のインキツボローラモータドライバ２２Ａへ送る（ステップ１３０）。これにより、印刷時、印刷ユニット９におけるインキツボローラ３の送り量がＲＳに合わせ込まれる。
【００５２】
この動作例１では、オペレータの判断によってインキ呼出し動作の間欠停止とインキツボキーの開き量の補正が指示されると、すなわち停止回数Ｗが入力され、補正ボタン１３−１がオンとされると、呼出し停止用エアシリンダ駆動装置２３に設定値Ｃ１，Ｃ２がセットされてインキ呼出し動作の間欠停止の準備が行われるとともに、インキツボキー４−１〜４−ｎに対するインキツボキーの開き量の設定値θ１〜θｎのうち、小絵柄部を除く大中絵柄部の設定値だけが大きくなるように補正される。
【００５３】
このように各インキツボキーの開き量を絵柄面積率に応じて補正することにより、大中絵柄部へのインキの供給量が増大し、小絵柄部でのインキの過剰供給と大中絵柄部でのインキ供給量の不足とが同時に解消され、オペレータが試刷りを繰り返しながらインキツボキーの開き量やインキツボローラの送り量を調整するという必要がなくなり、余分な時間がかかる、オペレータに負担がかかる、印刷資材が無駄になる、作業効率が悪くなる等の問題が解決される。
【００５４】
〔動作例２：間欠停止＋インキツボローラの送り量の補正〕
上述した動作例１では、インキ呼出し動作を間欠的に停止させる場合、インキツボキーの開き量の設定値θ１〜θｎを絵柄面積率に応じて補正するようにしたが、インキツボローラ３の送り量の設定値ＲＳを絵柄面積率に応じて補正するようにしてもよい。
【００５５】
以下に説明する動作例２では、インキツボローラ３の送り量の設定値ＲＳを大きくなるように補正することによって、インキツボキーの開き量が小さい小絵柄部に比べ、インキツボキーの開き量が大きい大中絵柄部へのインキの供給量を増大させる。
【００５６】
図４にインキツボローラの送り量を調整することによる絵柄面積率（横軸）と印刷濃度（縦軸）との関係を示す。インキツボローラの送り量を調整することによってその特性は変化する。同図に示す特性Ｉのように、印刷濃度値が絵柄面積率に拘わらず一定値Ａである状態から、インキツボローラの送り量を増加すると、濃度値は上昇する。この場合、特性IIに示すように、絵柄面積率の小さい部分ではインキツボローラの送り量の増加に対する印刷濃度値の上昇が鈍く、絵柄面積率が大きくなるにつれて印刷濃度値が徐々に上昇し、ある絵柄面積率に達すると印刷濃度値は略一定となる。このことから、インキツボローラに対する送り量を大きくすると、小絵柄部へのインキの供給量の増大に比べ、大中絵柄部へのインキの供給量がより大きく増大することが分かる。
【００５７】
次に動作例２における動作手順について説明する。図５はこの動作例２の要部を示すフローチャートである。このフローチャートは、図２に示したフローチャートのステップ１１１に続くもので、ステップ１１１までは動作例１の場合と同じであるので、その説明は省略する。なお、この動作に入る前に、スイッチ群１３におけるオペレータのキー操作によって、各色の印刷ユニット９におけるインキツボローラ３に対しての送り量の補正係数β（β１〜β４）がメモリＭ１０に書き込まれているものとする。
【００５８】
絵柄が少ない印刷物であるとの判断から、オペレータによって補正ボタン１３−１がオンとされると（図２：ステップ１１１のＹＥＳ）、ＣＰＵ１０は、メモリＭ２からインキツボローラの送り量の設定値ＲＳを読み出す（ステップ１３１）。また、メモリＭ１０から補正係数βを読み出し（ステップ１３２）、この補正係数βをメモリＭ２から読み出したインキツボローラの送り量の設定値ＲＳに掛け、設定値ＲＳに対する補正量を求める（ステップ１３３）。
【００５９】
そして、この補正量をメモリＭ２から読み出したインキツボローラの送り量の設定値ＲＳに加え、インキツボローラの送り量の補正値ＲＳ’（ＲＳ’＝（１＋β）・ＲＳ）を求め、メモリＭ１１に書き込む（ステップ１３４）。これにより、インキツボローラ３に対する送り量の設定値ＲＳは、その設定値ＲＳに補正係数βを掛けた値だけ大きくなるように補正される。
【００６０】
次に、ＣＰＵ１０は、メモリＭ１からインキツボキーの開き量の設定値θ１〜θｎを読み出し（ステップ１３５）、この読み出したインキツボキーの開き量の設定値θ１〜θｎをインキツボキー駆動装置２１のインキツボキーモータドライバ２１Ａへ送る（ステップ１３６）。これにより、インキツボキーモータ２１Ｂが駆動され、印刷ユニット９におけるインキツボキー４−１〜４−ｎの開き量がθ１〜θｎに合わせ込まれる。
【００６１】
また、ＣＰＵ１０は、メモリＭ１１からインキツボローラの送り量の補正値ＲＳ’を読み出し（ステップ１３７）、この読み出したインキツボローラの送り量の補正値ＲＳ’をインキツボローラ駆動装置２２のインキツボローラモータドライバ２２Ａへ送る（ステップ１３８）。これにより、印刷時、印刷ユニット９におけるインキツボローラ３の送り量がＲＳ’に合わせ込まれるようになる。
【００６２】
この動作例２では、オペレータの判断によってインキ呼出し動作の間欠停止とインキツボローラの送り量の補正が指示されると、呼出し停止用エアシリンダ駆動装置２３に設定値Ｃ１，Ｃ２がセットされてインキ呼出し動作の間欠停止の準備が行われるとともに、インキツボローラ３に対する送り量の設定値ＲＳが大きくなるように補正される。
【００６３】
このようにインキツボローラ３に対する送り量の設定値ＲＳを絵柄面積率に応じて補正することにより、小絵柄部へのインキの供給量の増大に比べ、大中絵柄部へのインキの供給量がより大きく増大し、小絵柄部でのインキの過剰供給と大中絵柄部でのインキ供給量の不足とが同時に解消され、オペレータが試刷りを繰り返しながらインキツボキーの開き量やインキツボローラの送り量を調整するという必要がなくなり、余分な時間がかかる、オペレータに負担がかかる、印刷資材が無駄になる、作業効率が悪くなる等の問題が解決される。
【００６４】
〔実施の形態２：自動方式▲１▼〕
次に、実施の形態２として、「間欠停止＋補正」をＣＰＵ１０の判断によって自動で行う第１番目の方式（自動方式▲１▼）について説明する。
【００６５】
図６はこの実施の形態２に係るインキ供給量制御装置を示すブロック図である。同図において、図１と同一符号は同一或いは同等構成要素を示し、その説明は省略する。この実施の形態２では、実施の形態１の構成に加え、後述する小絵柄部数カウンタ用メモリＭ１２と、小絵柄部数判定値用メモリＭ１３と、小絵柄部数カウンタ２４とを有している。また、スイッチ群１３には、自動設定スイッチ１３−２が設けられている。
【００６６】
〔動作例１：間欠停止＋インキツボキーの開き量の補正〕
このインキ供給量制御装置における印刷開始前の特徴的な動作（動作例１）を図７および図８に分割して示したフローチャートに従って説明する。印刷ユニット９−１〜９−４のそれぞれにおいて、同様の動作が行われるので、ここでは１つの印刷ユニット９での動作例として説明する。
【００６７】
なお、この動作に入る前に、メモリＭ３には各色ごとの「絵柄面積率−インキツボキー開き量変換カーブ」が格納されているものとする。また、スイッチ群１３におけるオペレータのキー操作によって、各色の印刷ユニット９におけるインキツボローラ５に対する呼出し動作の停止回数Ｗ（Ｗ１〜Ｗ４）がメモリＭ４に、各色の印刷ユニット９におけるインキツボキー４−１〜４−ｎに対しての小絵柄部判定値θｓ（θｓ１〜θｓ４）がメモリＭ５に、各色の印刷ユニット９におけるインキツボキー４−１〜４−ｎに対しての開き量の補正係数α（α１〜α４）がメモリＭ７に、インキ呼出し動作の間欠停止を行うか否かの判定を行うための各色の小絵柄部数が小絵柄部数判定値Ｋｓ（Ｋｓ１〜Ｋｓ４）としてメモリＭ１３に書き込まれているものとする。
【００６８】
〔絵柄データ、送り量データの読み取り、記憶〕
本実施の形態に係るインキ供給量制御装置においても、先ずインキツボキーの開き量が次のようにして設定される。
ＣＰＵ１０は、ドライブ装置１５にセットされる記録媒体などから印刷ユニット９の版胴８に装着される刷版７の絵柄データ、および印刷ユニット９のインキツボローラ３の送り量データＲＳを読み取り、絵柄データをインキツボキー４−１〜４−ｎに対する開き量の設定値としてメモリＭ１に、送り量データＲＳをインキツボローラ３に対する送り量の設定値としてメモリＭ２に書き込む（ステップ２０１，２０２）。
【００６９】
入力された絵柄データが絵柄面積率データであった場合（ステップ２０３のＹＥＳ）、ＣＰＵ１０は、メモリＭ３に格納されている印刷ユニット９用の「絵柄面積率−インキツボキー開き量変換カーブ」を読み出し（ステップ２０４）、この読み出した「絵柄面積率−インキツボキー開き量変換カーブ」を用いて絵柄面積率データＳ１〜Ｓｎをインキツボキー開き量θ１〜θｎに変換し、メモリＭ１に格納し直す（ステップ２０５）。入力された絵柄データがインキツボキー開き量データであった場合（ステップ２０３のＮＯ）、ＣＰＵ１０は、ステップ２０４，２０５を経ずに、直ちにステップ２０６へ進む。これにより、メモリＭ１には、インキツボキー４−１〜４−ｎの開き量θ１〜θｎが設定値として書き込まれることになる。
【００７０】
〔インキ呼出し動作の間欠停止の必要性判断〕
続いて、インキ呼出し動作の間欠停止を行うか否かを次のようにして判断する。ステップ２０６において、ＣＰＵ１０は、スイッチ群１３における自動設定スイッチ１３−２のオンを待つ。オペレータによって自動設定スイッチ１３−２がオンとされると（ステップ２０６のＹＥＳ）、ＣＰＵ１０は、小絵柄部カウンタ２４のカウント値を零にリセットする（ステップ２０７）。
【００７１】
そして、メモリＭ１から最初のインキツボキーの開き量の設定値θ１を読み出す（ステップ２０８）。また、メモリＭ５から小絵柄部判定値θｓを読み出す（ステップ２０９）。そして、インキツボキーの開き量の設定値θ１と小絵柄部判定値θｓとを比較し（ステップ２１０）、θ１＜θｓであれば、小絵柄部数カウンタ２４のカウント値を１アップする（ステップ２１１）。θ１≧θｓであれば、直ちにステップ２１２へ進む。
【００７２】
すなわち、ＣＰＵ１０は、θ１＜θｓであれば（ステップ２１０のＹＥＳ）、インキツボキー４−１に対応する刷版７のエリアは小絵柄部であると判断し、小絵柄部数カウンタ２４のカウント値を１アップする。これに対し、θ１≧θｓであれば（ステップ２１０のＮＯ）、インキツボキー４−１に対応する刷版７のエリアは大中絵柄部であると判断し、小絵柄部数カウンタ２４のカウント値はアップせずに、直ちにステップ２１２へ進む。
【００７３】
ステップ２１２において、ＣＰＵ１０は、メモリＭ１から次のインキツボキーの開き量の設定値θ２を読み出す。また、メモリＭ５から小絵柄部判定値θｓを読み出す（ステップ２１３）。そして、インキツボキーの開き量の設定値θ２と小絵柄部判定値θｓとを比較し（ステップ２１４）、θ２＜θｓであれば、先のステップ２１１と同様にして小絵柄部であると判断し、小絵柄部数カウンタ２４のカウント値を１アップする（ステップ２１５）。θ１≧θｓであれば、大中絵柄部であると判断し、直ちにステップ２１６へ進む。
【００７４】
以下同様にして、ＣＰＵ１０は、ステップ２１６においてメモリＭ１からの全てのインキツボキーの開き量の設定値θの読み出しが確認されるまで、ステップ２１２〜２１５の動作を繰り返す。これにより、小絵柄部数カウンタ２４は、インキツボキー４−１〜４−ｎのうち、その開き量の設定値θがθｓより小さい小絵柄部と判断されたインキツボキーの数（小絵柄部数）をカウントすることになる。
【００７５】
ＣＰＵ１０は、この小絵柄部数カウンタ２４によってカウントされた小絵柄部数ＫｍをメモリＭ１２に書き込み（ステップ２１７）、メモリＭ１３から小絵柄部数判定値Ｋｓを読み出し（ステップ２１８）、小絵柄部数Ｋｍと小絵柄部数判定値Ｋｓとを比較する（ステップ２１９）。
【００７６】
Ｋｍ≦Ｋｓであれば（ステップ２１９のＹＥＳ）、ＣＰＵ１０は、印刷ユニット９の版胴８にセットされている刷版７は小絵柄部の数が少なく、インキ呼出し動作の間欠停止は不要であると判断する。
【００７７】
この場合、ＣＰＵ１０は、メモリＭ１からインキツボキーの開き量の設定値θ１〜θｎを読み出し（ステップ２２０）、この読み出したインキツボキーの開き量の設定値θ１〜θｎをインキツボキー駆動装置２１のインキツボキーモータドライバ２１Ａへ送り（ステップ２２１）、インキツボキー４−１〜４−ｎの開き量をθ１〜θｎに合わせ込む。
【００７８】
また、メモリＭ２からインキツボローラの送り量の設定値ＲＳを読み出し（ステップ２２２）、この読み出したインキツボローラの送り量の設定値ＲＳをインキツボローラ駆動装置２２のインキツボローラモータドライバ２２Ａへ送り（ステップ２２３）、印刷時におけるインキツボローラ３の送り量をＲＳに合わせ込むようにする。
【００７９】
このようにして、ＣＰＵ１０は、小絵柄部の数が少ないと判断した場合、インキツボキー４−１〜４−ｎの開き量を通常の設定値θ１〜θｎに合わせ込み、また印刷時におけるインキツボローラ３の送り量を通常の設定値ＲＳに合わせ込むようにし、一連の処理を終了する。
【００８０】
これに対して、Ｋｍ＞Ｋｓである場合（ステップ２１９のＮＯ）、ＣＰＵ１０は、印刷ユニット９の版胴８にセットされている刷版７は小絵柄部の数が多く、インキ呼出し動作の間欠停止が必要であると判断する。
【００８１】
この場合、ＣＰＵ１０は、メモリＭ４から停止回数Ｗを読み出し（ステップ２２４：図８）、この停止回数Ｗより呼出し停止用エアシリンダ駆動装置２３における呼出し停止開始用カウンタ２３Ａへの設定値Ｃ１および呼出しカウンタリセット用カウンタ２３Ｂへの設定値Ｃ２を求め、それぞれメモリＭ８およびＭ９に書き込む（ステップ２２５）。また、設定値Ｃ１を呼出し停止開始用カウンタ２３Ａへ、設定値Ｃ２を呼出しカウンタリセット用カウンタ２３Ｂへ送り、セットする（ステップ２２６、２２７）。
【００８２】
〔インキツボキーの開き量の補正〕
次に、ＣＰＵ１０は、メモリＭ１から最初のインキツボキーの開き量の設定値θ１を読み出す（ステップ２２８）。また、メモリＭ５から小絵柄部判定値θｓを読み出す（ステップ２２９）。そして、この読み出したインキツボキーの開き量の設定値θ１と小絵柄部判定値θｓとを比較し（ステップ２３０）、θ１＜θｓであればステップ２３１へ進み、θ１≧θｓであればステップ２３２へ進む。
【００８３】
すなわち、θ１＜θｓであれば（ステップ２３０のＮＯ）、インキツボキー４−１に対応する刷版７のエリアは小絵柄部であると判断し、メモリＭ１から読み出したインキツボキーの開き量の設定値θ１をそのままθ１’としてメモリＭ６に書き込む（ステップ２３１）。
【００８４】
これに対し、θ１≧θｓであれば（ステップ２３０のＹＥＳ）、インキツボキー４−１に対応する刷版７のエリアは大中絵柄部であると判断し、メモリＭ７から補正係数αを読み出し（ステップ２３２）、この補正係数αをメモリＭ１から読み出したインキツボキーの開き量の設定値θ１に掛け、設定値θ１に対する補正量を求める（ステップ２３３）。
【００８５】
そして、この補正量を設定値θ１に加え、インキツボキーの開き量の補正値θ１’を求め、メモリＭ６に書き込む（ステップ２３４）。これにより、対応するエリアが大中絵柄部であると判断されたインキツボキー４−１に対する開き量の設定値θ１は、その設定値θ１に補正係数αを掛けた値だけ大きくなるように補正される。
【００８６】
次に、ＣＰＵ１０は、メモリＭ１から次のインキツボキーの開き量の設定値θ２を読み出す（ステップ２３５）。また、メモリＭ５から小絵柄部判定値θｓを読み出す（ステップ２３６）。そして、インキツボキーの開き量の設定値θ２と小絵柄部判定値θｓとを比較し（ステップ２３７）、θ２＜θｓであれば、先のステップ２３１と同様にして、設定値θ２をそのままθ２’としてメモリＭ６に書き込む（ステップ２３８）。
【００８７】
θ２≧θｓであれば、先のステップ２３２〜２３４と同様にして、メモリＭ７から補正係数αを読み出し（ステップ２３９）、この補正係数αを設定値θ２に掛けて補正量を求め（ステップ２４０）、設定値θ２にこの補正量を加えた値をθ２’としてメモリＭ６に書き込む（ステップ２４１）。
【００８８】
以下同様にして、ＣＰＵ１０は、ステップ２４２においてメモリＭ１からの全てのインキツボキーの開き量の設定値θの読み出しが確認されるまで、ステップ２３５〜２４１の動作を繰り返す。これにより、メモリＭ６には、インキツボキーの開き量の補正値θ１’〜θｎ’が格納される。
【００８９】
ここで、メモリＭ６に格納されたインキツボキーの開き量の補正値θ１’〜θｎ’は、設定値θが小絵柄部判定値θｓよりも小さいものについては実質的には補正されておらず、設定値θが小絵柄部判定値θｓよりも大きいものだけが補正されている。すなわち、インキツボキー４−１〜４−ｎに対するインキツボキーの開き量の設定値θ１〜θｎは、その対応するエリアが小絵柄部（θ＜θｓ）のものについては補正されないが、大中絵柄部（θ≧θｓ）のものについてのみ補正されて大きくなる。
【００９０】
以上のように、この動作例１では、インキツボキーの開き量の設定値θに基づいて、各インキツボキーに対応するエリアが小絵柄部か否かを判定し、小絵柄部でないものについてインキツボキーの開き量を補正する。
【００９１】
メモリＭ６へのインキツボキーの開き量の補正値θ１’〜θｎ’の格納が完了すると（ステップ２４２のＹＥＳ）、ＣＰＵ１０は、メモリＭ６からインキツボキーの開き量の補正値θ１’〜θｎ’を読み出し（ステップ２４３）、この読み出したインキツボキーの開き量の補正値θ１’〜θｎ’をインキツボキー駆動装置２１のインキツボキーモータドライバ２１Ａへ送る（ステップ２４４）。これにより、インキツボキーモータ２１Ｂが駆動され、印刷ユニット９におけるインキツボキー４−１〜４−ｎの開き量がθ１’〜θｎ’に合わせ込まれる。
【００９２】
また、ＣＰＵ１０は、メモリＭ２からインキツボローラの送り量の設定値ＲＳを読み出し（ステップ２４５）、この読み出したインキツボローラの送り量の設定値ＲＳをインキツボローラ駆動装置２２のインキツボローラモータドライバ２２Ａへ送る（ステップ２４６）。これにより、印刷時、印刷ユニット９におけるインキツボローラ３の送り量がＲＳに合わせ込まれるようになる。
【００９３】
この動作例１では、インキ呼出し動作を間欠停止させるか否かが小絵柄部の数により自動的に判断され、この判断に基づいてＣＰＵ１０からインキ呼出し動作の間欠停止が指示されると、インキツボキー４−１〜４−ｎに対するインキツボキーの開き量の設定値θ１〜θｎのうち、小絵柄部を除く大中絵柄部の設定値だけが大きくなるように補正される。これにより、大中絵柄部へのインキの供給量が増大し、小絵柄部でのインキの過剰供給と大中絵柄部でのインキ供給量の不足とが同時に解消される。
【００９４】
〔動作例２：間欠停止＋インキツボローラの送り量の補正〕
上述した動作例１では、インキ呼出し動作を間欠的に停止させる場合、インキツボキーの開き量の設定値θ１〜θｎを絵柄面積率に応じて補正するようにしたが、インキツボローラ３の送り量の設定値ＲＳを絵柄面積率に応じて補正するようにしてもよい。
【００９５】
以下に説明する動作例２では、インキツボローラ３の送り量の設定値ＲＳを大きくなるように補正することによって、インキツボキーの開き量が小さい小絵柄部に比べ、インキツボキーの開き量が大きい大中絵柄部へのインキの供給量を増大させる。
【００９６】
次に動作例２における動作手順について説明する。図９はこの動作例２の要部を示すフローチャートである。このフローチャートは、図７に示したフローチャートのステップ２１９でＮＯと判断された後の処理に続くもので、ステップ２１９までは動作例１の場合と同じであるので、その説明は省略する。なお、この動作に入る前に、スイッチ群１３におけるオペレータのキー操作によって、各色の印刷ユニット９におけるインキツボローラ３に対しての送り量の補正係数β（β１〜β４）がメモリＭ１０に書き込まれているものとする。
【００９７】
Ｋｍ＞Ｋｓであることが確認された場合（図７：ステップ２１９のＮＯ）、ＣＰＵ１０は、印刷ユニット９−１の版胴８にセットされている刷版７は小絵柄部の数が多く、インキ呼出し動作の間欠停止が必要であると判断する。
【００９８】
この場合、ＣＰＵ１０は、メモリＭ４から停止回数Ｗを読み出し（ステップ２４７）、この停止回数Ｗより呼出し停止用エアシリンダ駆動装置２３における呼出し停止開始用カウンタ２３Ａへの設定値Ｃ１および呼出しカウンタリセット用カウンタ２３Ｂへの設定値Ｃ２を求め、それぞれメモリＭ８およびＭ９に書き込む（ステップ２４８）。また、設定値Ｃ１を呼出し停止開始用カウンタ２３Ａへ、設定値Ｃ２を呼出しカウンタリセット用カウンタ２３Ｂへ送り、セットする（ステップ２４９、２５０）。
【００９９】
次に、ＣＰＵ１０は、メモリＭ２からインキツボローラの送り量の設定値ＲＳを読み出す（ステップ２５１）。また、メモリＭ１０から補正係数βを読み出し（ステップ２５２）、この補正係数βをメモリＭ２から読み出したインキツボローラの送り量の設定値ＲＳに掛け、設定値ＲＳに対する補正量を求める（ステップ２５３）。そして、この補正量をメモリＭ２から読み出したインキツボローラの送り量の設定値ＲＳに加え、インキツボローラの送り量の補正値ＲＳ’を求め、メモリＭ１１に書き込む（ステップ２５４）。これにより、インキツボローラ３に対する送り量の設定値ＲＳは、その設定値ＲＳに補正係数βを掛けた値だけ大きくなるように補正される。
【０１００】
次に、ＣＰＵ１０は、メモリＭ１からインキツボキーの開き量の設定値θ１〜θｎを読み出し（ステップ２５５）、この読み出したインキツボキーの開き量の設定値θ１〜θｎをインキツボキー駆動装置２１のインキツボキーモータドライバ２１Ａへ送る（ステップ２５６）。これにより、インキツボキーモータ２１Ｂが駆動され、印刷ユニット９におけるインキツボキー４−１〜４−ｎの開き量がθ１〜θｎに合わせ込まれる。
【０１０１】
また、ＣＰＵ１０は、メモリＭ１１からインキツボローラの送り量の補正値ＲＳ’を読み出し（ステップ２５７）、この読み出したインキツボローラの送り量の補正値ＲＳ’をインキツボローラ駆動装置２２のインキツボローラモータドライバ２２Ａへ送る（ステップ２５８）。これにより、印刷時、印刷ユニット９におけるインキツボローラ３の送り量がＲＳ’に合わせ込まれるようになる。
【０１０２】
この動作例２では、インキ呼出し動作を間欠停止させるか否かが小絵柄部の数により自動的に判断され、この判断に基づいてＣＰＵ１０からインキ呼出し動作の間欠停止が指示されると、インキツボローラ３に対する送り量の設定値ＲＳが大きくなるように補正される。これにより、小絵柄部へのインキの供給量の増大に比べ、大中絵柄部へのインキの供給量がより大きく増大し、小絵柄部でのインキの過剰供給と大中絵柄部でのインキ供給量の不足とが同時に解消される。
【０１０３】
〔実施の形態３：自動方式▲２▼〕
次に、実施の形態３として、「間欠停止＋補正」をＣＰＵ１０の判断によって自動で行う第２番目の方式（自動方式▲２▼）について説明する。
【０１０４】
図１０はこの実施の形態３に係るインキ供給量制御装置を示すブロック図である。同図において、図６と同一符号は同一或いは同等構成要素を示し、その説明は省略する。この実施の形態３では、実施の形態２の小絵柄部判定値用メモリＭ１３に代えて、各印刷ユニットの全インキツボキーの数を記憶するメモリＭ１４と、各印刷ユニットの全インキツボキーの数に占める小絵柄部の割合に対する判定値を記憶するメモリＭ１５と、各印刷ユニットの全インキツボキーの数に占める小絵柄部の割合を記憶するメモリＭ１６とを設けている。
【０１０５】
〔動作例１：間欠停止＋インキツボキーの開き量の補正〕
このインキ供給量制御装置における印刷開始前の特徴的な動作（動作例１）を図１１および図１２に分割して示したフローチャートに従って説明する。印刷ユニット９−１〜９−４のそれぞれにおいて、同様の動作が行われるので、ここでは１つの印刷ユニット９での動作例として説明する。
【０１０６】
なお、この実施の形態では、各色の印刷ユニット９の全インキツボキーの数Ｋｎ（Ｋｎ１〜Ｋｎ４）がメモリＭ１４に、インキ呼出し動作の間欠停止を行うか否かの判定を行うための各色の小絵柄部の割合（小絵柄部割合判定値）γｓ（γｓ１〜γｓ４）がメモリＭ１５に書き込まれているものとする。
【０１０７】
図１１において、ステップ３０１〜３１７までの動作は、図７に示したステップ２０１〜２１７までの動作と同じであるので、その説明は省略する。
ＣＰＵ１０は、小絵柄部数ＫｍをメモリＭ１２に書き込むと（ステップ３１７）、メモリＭ１４に格納されている印刷ユニット９の全インキツボキーの数Ｋｎを読み出す（ステップ３１８）。
【０１０８】
そして、メモリＭ１２から読み出した小絵柄部数ＫｍとメモリＭ１４から読み出した全インキツボキーの数Ｋｎより、印刷ユニット９の全インキツボキーの数に占める小絵柄部の割合γを求め（γ＝Ｋｍ／Ｋｎ）、この求めた全インキツボキーの数に占める小絵柄部の割合γをメモリＭ１６に書き込む（ステップ３１９）。
【０１０９】
さらに、メモリＭ１５から印刷ユニット９の小絵柄部割合判定値γｓを読み出し（ステップ３２０）、この読み出した小絵柄部割合判定値γｓと先のステップ３１９で求めた全インキツボキーの数に占める小絵柄部の割合γとを比較する（ステップ３２１）。
【０１１０】
γ＜γｓであれば（ステップ３２１のＹＥＳ）、ＣＰＵ１０は、印刷ユニット９の版胴８にセットされている刷版７は小絵柄部の数が少なく、インキ呼出し動作の間欠停止は不要であると判断する。この場合、図７に示したステップ２２０〜２２３に対応するステップ３２２〜３２５の処理動作により、インキツボキー４−１〜４−ｎの開き量を通常の設定値θ１〜θｎに合わせ込み、また印刷時におけるインキツボローラ３の送り量を通常の設定値ＲＳに合わせ込むようにし、一連の処理を終了する。
【０１１１】
これに対して、γ≧γｓであった場合（ステップ３２１のＮＯ）、ＣＰＵ１０は、印刷ユニット９の版胴８にセットされている刷版７は小絵柄部の数が多く、インキ呼出し動作の間欠停止が必要であると判断する。
この場合、ＣＰＵ１０は、図８に示したステップ２２４〜２４６に対応するステップ３２６〜３４８（図１２）の処理動作により、インキツボキー４−１〜４−ｎの開き量を補正値θ１’〜θｎ’に合わせ込む。
【０１１２】
この動作例１では、インキ呼出し動作を間欠停止させるか否かが小絵柄部の割合により自動的に判断され、この判断に基づいてＣＰＵ１０からインキ呼出し動作の間欠停止が指示されると、インキツボキー４−１〜４−ｎに対するインキツボキーの開き量の設定値θ１〜θｎのうち、小絵柄部を除く大中絵柄部の設定値だけが大きくなるように補正される。これにより、大中絵柄部へのインキの供給量が増大し、小絵柄部でのインキの過剰供給と大中絵柄部でのインキ供給量の不足とが同時に解消される。
【０１１３】
〔動作例２：間欠停止＋インキツボローラの送り量の補正〕
上述した動作例１では、インキ呼出し動作を間欠的に停止させる場合、インキツボキーの開き量の設定値θ１〜θｎを絵柄面積率に応じて補正するようにしたが、インキツボローラ３の送り量の設定値ＲＳを絵柄面積率に応じて補正するようにしてもよい。
【０１１４】
すなわち、図１１のステップ３２１においてγ≧γｓと判断された場合、図１３に示すステップ３４９〜３６０の処理動作（図９に示したステップ２４７〜２５８に対応する処理動作）を実行することによって、インキツボローラ３の送り量を補正値ＲＳ’に合わせ込むようにしてもよい。
【０１１５】
この動作例２では、インキ呼出し動作を間欠停止させるか否かが小絵柄部の割合より自動的に判断され、この判断に基づいてＣＰＵ１０からインキ呼出し動作の間欠停止が指示されると、インキツボローラ３に対する送り量の設定値ＲＳが大きくなるように補正される。これにより、小絵柄部へのインキの供給量の増大に比べ、大中絵柄部へのインキの供給量がより大きく増大し、小絵柄部でのインキの過剰供給と大中絵柄部でのインキ供給量の不足とが同時に解消される。
【０１１６】
なお、上述した実施の形態２では、小絵柄部判定値θｓを定め、この小絵柄部判定値θｓよりも小さいインキツボキーの数を小絵柄部数Ｋｍとしてカウントするようにしたが、すなわちインキツボキーの開き量の設定値θ１〜θｎのうちθ＜θｓの数を小絵柄部数Ｋｍとしてカウントするようにしたが、零よりも大きくθｓよりも小さい（０＜θ＜θｓ）インキツボキーの数を小絵柄部数Ｋｍとしてカウントするようにしてもよい。インキツボキーの開き量の設定値θ１〜θｎから零を除くことにより、両端の開き量が０％とされるインキツボキーや印刷されない部分のインキツボキーが除外され、実際に印刷される小絵柄部のみが小絵柄部数としてカウントされるようになる。
【０１１７】
〔実施の形態４〕
また、上述した実施の形態３では、印刷ユニット９における全インキツボキーの数Ｋｎに対する小絵柄部数Ｋｍの割合としてγを求めるようにしたが、全インキツボキーの数Ｋｎではなく、印刷に使用するインキツボキーの数Ｋｘに対する小絵柄部数Ｋｍの割合としてγを求めるようにしてもよい。印刷に使用するインキツボキーの数Ｋｘは、例えば下記に示す▲１▼，▲２▼の方法で求める。なお、この▲１▼，▲２▼の方法において、小絵柄部数Ｋｍは、開き量の設定値が零よりも大きく小絵柄部判定値θｓよりも小さい（０＜θ＜θｓ）インキツボキーの数とする。
【０１１８】
〔▲１▼プリセット情報として入力される用紙サイズを使用する方法〕
インキツボキーの総数ｎが偶数の場合、用紙サイズ／インキツボキーの幅／２＝ａとし、印刷に使用するインキツボキーの数ＫｘをＫｘ＝（ａの端数を繰り上げ整数とした値）×２として求める。また、インキツボキーの総数ｎが奇数の場合、〔（用紙サイズ／インキツボキーの幅）−１〕／２＝ａ’とし、印刷に使用するインキツボキーの数ＫｘをＫｘ＝（ａ’の端数を繰り上げ整数とした値）×２＋１として求める。
【０１１９】
〔▲２▼絵柄データを使用する方法〕
印刷に使用するインキツボキーの数ＫｘをＫｘ＝(インキツボキーの総数ｎ)−(設定値が０％となっているインキツボキーの数)として求める。
【０１２０】
〔実施の形態４の具体例〕
図１４に上述した絵柄データを使用する方法（方法▲２▼）を採用した場合のインキ供給量制御装置のブロック図を示す。同図において、図１０と同一符号は同一或いは同等構成要素を示し、その説明は省略する。この実施の形態４では、実施の形態３の各印刷ユニットの全インキツボキーの数に占める小絵柄部の割合用メモリＭ１５に代えて、各印刷ユニットの印刷に使用するインキツボキーの数に占める小絵柄部の割合用メモリＭ１７と、各印刷ユニットの印刷に使用するインキツボキーの数用のメモリＭ１８と、開き量零のインキツボキーの数用メモリＭ１９とを設けている。また、開き量零のインキツボキー数用のカウンタ２６を設けている。
【０１２１】
〔インキ呼出し動作の間欠停止の必要性の判断〕
このインキ供給量制御装置におけるインキ呼出し動作の間欠停止を行うか否かの判断動作を図１５および図１６に分割して示したフローチャートに従って説明する。図１５において、ステップ４０１〜４０６までの動作は、図１１に示したステップ３０１〜３０６までの動作と同じであるので、その説明は省略する。
【０１２２】
オペレータによって自動設定スイッチ１３−２がオンとされると（ステップ４０６のＹＥＳ）、ＣＰＵ１０は、開き量零のインキツボキー数用のカウンタ２６のカウント値を零にリセットする（ステップ４０７）。そして、メモリＭ１から最初のインキツボキーの開き量の設定値θ１を読み出す（ステップ４０８）。そして、インキツボキーの開き量の設定値θ１が零でないか否かをチェックし（ステップ４０９）、θ１＝０であれば、開き量零のインキツボキー数用のカウンタ２６のカウント値を１アップする（ステップ４１０）。θ１≠０であれば、直ちにステップ４１１へ進む。
【０１２３】
ステップ４１１において、ＣＰＵ１０は、メモリＭ１から次のインキツボキーの開き量の設定値θ２を読み出す。そして、インキツボキーの開き量の設定値θ２が零でないか否かをチェックし（ステップ４１２）、θ２＝０であれば、開き量零のインキツボキー数用のカウンタ２６のカウント値を１アップする（ステップ４１３）。θ１≠０であれば、直ちにステップ４１４へ進む。
【０１２４】
以下同様にして、ＣＰＵ１０は、ステップ４１４においてメモリＭ１からの全てのインキツボキーの開き量の設定値θの読み出しが確認されるまで、ステップ４１１〜４１３の動作を繰り返す。これにより、開き量零のインキツボキー数用のカウンタ２６は、インキツボキー４−１〜４−ｎのうち、その開き量の設定値θが零と判断されたインキツボキーの数をカウントすることになる。ＣＰＵ１０は、この開き量零のインキツボキー数用のカウンタ２６によってカウントされた値を開き量零数Ｋ０としてメモリＭ１９に書き込む（ステップ４１５）。
【０１２５】
次に、ＣＰＵ１０は、メモリＭ１４から印刷ユニット９の全インキツボキーの数Ｋｎを読み出し（ステップ４１６）、この読み出した印刷ユニット９の全インキツボキーの数Ｋｎからステップ４１５で求めた開き量零数Ｋ０を差し引いて、印刷に使用するインキツボキーの数Ｋｘを算出する（ステップ４１７）。そして、この算出したインキツボキーの数ＫｘをメモリＭ１８に書き込む（ステップ４１８）。
【０１２６】
そして、ＣＰＵ１０は、小絵柄部数カウンタ２４のカウント値を零にリセットし(ステップ４１９：図１６)、メモリＭ１から最初のインキツボキーの開き量の設定値θ１を読み出す（ステップ４２０）。また、メモリＭ５から小絵柄部判定値θｓを読み出す（ステップ４２１）。そして、インキツボキーの開き量の設定値θ１が０＜θ１＜θｓであるか否かをチェックし（ステップ４２２）、０＜θ１＜θｓであれば、小絵柄部数カウンタ２４のカウント値を１アップする（ステップ４２３）。０＜θ１＜θｓでなければ、直ちにステップ４２４へ進む。
【０１２７】
すなわち、ＣＰＵ１０は、０＜θ１＜θｓであれば（ステップ４２２のＹＥＳ）、インキツボキー４−１に対応する刷版７のエリアは小絵柄部であると判断し、小絵柄部数カウンタ２４のカウント値を１アップする。これに対し、０＜θ１＜θｓでなければ（ステップ４２２のＮＯ）、インキツボキー４−１に対応する刷版７のエリアは大中絵柄部あるいは印刷に使用されない部分であると判断し、小絵柄部数カウンタ２４のカウント値はアップせずに、直ちにステップ４２４へ進む。
【０１２８】
ステップ４２４において、ＣＰＵ１０は、メモリＭ１から次のインキツボキーの開き量の設定値θ２を読み出す。また、メモリＭ５から小絵柄部判定値θｓを読み出す（ステップ４２５）。そして、インキツボキーの開き量の設定値θ２が０＜θ２＜θｓであるか否かをチェックし（ステップ４２６）、０＜θ２＜θｓであれば、小絵柄部数カウンタ２４のカウント値を１アップする（ステップ４２７）。０＜θ２＜θｓでなければ、直ちにステップ４２８へ進む。
【０１２９】
以下同様にして、ＣＰＵ１０は、ステップ４２８においてメモリＭ１からの全てのインキツボキーの開き量の設定値θの読み出しが確認されるまで、ステップ４２４〜４２７の動作を繰り返す。これにより、小絵柄部数カウンタ２４は、インキツボキー４−１〜４−ｎのうち、その開き量の設定値θが０＜θ＜θｓの小絵柄部と判断されたインキツボキーの数（小絵柄部数）をカウントすることになる。ＣＰＵ１０は、この小絵柄部数カウンタ２４によってカウントされた小絵柄部数をＫｍとしてメモリＭ１２に書き込み（ステップ４２９）、メモリＭ１８から印刷ユニット９の印刷に使用するインキツボキーの数Ｋｘを読み出す（ステップ４３０）。
【０１３０】
そして、メモリＭ１２から読み出した小絵柄部数ＫｍとメモリＭ１８から読み出した印刷に使用するインキツボキーの数Ｋｘより、印刷ユニット９の印刷に使用するインキツボキーの数に占める小絵柄部の割合γを求め（γ＝Ｋｍ／Ｋｘ）、この求めた印刷に使用するインキツボキーの数に占める小絵柄部の割合γをメモリＭ１６に書き込む（ステップ４３１）。
【０１３１】
さらに、メモリＭ１７から印刷ユニット９の小絵柄部割合判定値γｓを読み出し（ステップ４３２）、この読み出した小絵柄部割合判定値γｓと先のステップ４３１で求めた印刷に使用するインキツボキーの数に占める小絵柄部の割合γとを比較する（ステップ４３３）。
【０１３２】
γ＜γｓであれば（ステップ４３３のＹＥＳ）、ＣＰＵ１０は、印刷ユニット９の版胴８にセットされている刷版７は小絵柄部の数が少なく、インキ呼出し動作の間欠停止は不要であると判断する。この場合、図１１に示したステップ３２２〜３２５に対応するステップ４３４〜４３７の処理動作により、インキツボキー４−１〜４−ｎの開き量を通常の設定値θ１〜θｎに合わせ込み、また印刷時におけるインキツボローラ３の送り量を通常の設定値ＲＳに合わせ込むようにし、一連の処理を終了する。
【０１３３】
これに対して、γ≧γｓであった場合（ステップ４３３のＮＯ）、ＣＰＵ１０は、印刷ユニット９の版胴８にセットされている刷版７は小絵柄部の数が多く、インキ呼出し動作の間欠停止が必要であると判断する。この場合、ＣＰＵ１０は、図１２に示したステップ３２６〜３４８に対応する処理動作(動作例１)により、インキツボキー４−１〜４−ｎの開き量を補正値θ１’〜θｎ’に合わせ込む。あるいは、図１３に示したステップ３４９〜３６０に対応する処理動作(動作例２)により、印刷時におけるインキツボローラ３の送り量を補正値ＲＳ’に合わせ込むようにする。
【０１３４】
〔実施の形態５：手動方式〕
実施の形態１の手動方式では、インキツボキー４の開き量の設定値θを補正したり、インキツボローラ３の送り量の設定値ＲＳを補正するようにした。これに対し、実施の形態５の手動方式では、インキツボキー４の開き量の実際値θｐｖを補正したり、インキツボローラ３の送り量の実際値ＲＳｐｖを補正する。図１７にこの実施の形態５のインキ供給量制御装置のブロック図を示す。尚、図１７においては、図１のインキツボキー駆動装置２１のロータリーエンコーダ２１Ｃがポテンショメータ２１Ｄに、インキツボローラ駆動装置２２のロータリエンコーダ２２Ｃがタコジェネレータ２２Ｄに置き換えられている。
【０１３５】
〔動作例１：間欠停止＋インキツボキーの開き量の補正〕
このインキ供給量制御装置における印刷開始前の特徴的な動作（動作例１）を図１８および図１９に分割して示したフローチャートに従って説明する。印刷ユニット９−１〜９−４のそれぞれにおいて、同様の動作が行われるので、ここでは１つの印刷ユニット９での動作例として説明する。
【０１３６】
この実施の形態５においても、図２に示したステップ１０１〜１０５と対応するステップ５０１〜５０５の処理動作によって、メモリＭ１にインキツボキーの開き量の設定値θ１〜θｎを記憶し、メモリＭ２にインキツボローラの送り量の設定値ＲＳを記憶する。
【０１３７】
そして、メモリＭ１からインキツボキーの開き量の設定値θ１〜θｎを読み出し（ステップ５０６）、この読み出したインキツボキーの開き量の設定値θ１〜θｎをインキツボキー駆動装置２１のインキツボキーモータドライバ２１Ａへ送る（ステップ５０７）。これにより、インキツボキーモータ２１Ｂが駆動され、印刷ユニット９におけるインキツボキー４−１〜４−ｎの開き量がθ１〜θｎに合わせ込まれる。
【０１３８】
また、ＣＰＵ１０は、メモリＭ２からインキツボローラの送り量の設定値ＲＳを読み出し（ステップ５０８）、この読み出したインキツボローラの送り量の設定値ＲＳをインキツボローラ駆動装置２２のインキツボローラモータドライバ２２Ａへ送る（ステップ５０９）。これにより、印刷時、印刷ユニット９におけるインキツボローラ３の送り量がＲＳに合わせ込まれる。
【０１３９】
〔インキ呼出し動作の間欠停止準備〕
ステップ５１０において、ＣＰＵ１０は、印刷ユニット９におけるインキ呼出しロール５に対する停止回数Ｗの入力を待つ。スイッチ群１３におけるオペレータのキー操作によって、停止回数Ｗが入力されると（ステップ５１０のＹＥＳ）、この停止回数ＷをメモリＭ４に書き込む（ステップ５１１）。
【０１４０】
そして、図２に示したステップ１０８〜１１０に対応するステップ５１２〜５１４の処理動作によって、呼出し停止用エアシリンダ駆動装置２３における呼出し停止開始用カウンタ２３Ａおよび呼出しカウンタリセット用カウンタ２３Ｂへへ設定値Ｃ１および設定値Ｃ２をセットし、印刷ユニット９におけるインキ呼出しロール５のインキ呼出し動作の間欠停止の準備を整える。
【０１４１】
〔インキツボキーの開き量の補正〕
ＣＰＵ１０は、ステップ５１５において、スイッチ群１３における補正ボタン１３−１のオンを待つ。印刷した結果を見て、あるいは印刷を開始する前に、オペレータの判断によって補正ボタン１３−１がオンとされると（ステップ５１５のＹＥＳ）、次のようにしてインキツボキーの開き量の補正が行われる。
【０１４２】
ＣＰＵ１０は、最初のインキツボキーのポテンショメータ２１Ｄよりインキツボキーの開き量の実際値θ１ｐｖを読み取る（ステップ５１６：図１９）。また、メモリＭ５から小絵柄部判定値θｓを読み出す（ステップ５１７）。そして、この読み出したインキツボキーの開き量の実際値θ１ｐｖと小絵柄部判定値θｓとを比較し（ステップ５１８）、θ１ｐｖ＜θｓであればステップ５１９へ進み、θ１ｐｖ≧θｓであればステップ５２０へ進む。
【０１４３】
すなわち、θ１ｐｖ＜θｓであれば（ステップ５１８のＮＯ）、インキツボキー４−１に対応する刷版７のエリアは小絵柄部であると判断し、ポテンショメータ２１Ｄより読み取ったインキツボキーの開き量の実際値θ１ｐｖをそのままθ１ｐｖ’としてメモリＭ２０に書き込む（ステップ５１９）。
【０１４４】
これに対し、θ１ｐｖ≧θｓであれば（ステップ５１８のＹＥＳ）、インキツボキー４−１に対応する刷版７のエリアは大中絵柄部であると判断し、メモリＭ７から補正係数αを読み出し（ステップ５２０）、この補正係数αをポテンショメータ２１Ｄから読み取ったインキツボキーの開き量の実際値θ１ｐｖに掛け、実際値θ１ｐｖに対する補正量を求める（ステップ５２１）。そして、この補正量を実際値θ１ｐｖに加え、インキツボキーの開き量の補正値θ１ｐｖ’を求め、メモリＭ２０に書き込む（ステップ５２２）。これにより、対応するエリアが大中絵柄部であると判断されたインキツボキー４−１の開き量の実際値θ１ｐｖは、その実際値θ１ｐｖに補正係数αを掛けた値だけ大きくなるように補正される。
【０１４５】
次に、ＣＰＵ１０は、次のインキツボキーのポテンショメータ２１Ｄよりインキツボキーの開き量の実際値θ２ｐｖを読み取る（ステップ５２３）。また、メモリＭ５から小絵柄部判定値θｓを読み出す（ステップ５２４）。そして、インキツボキーの開き量の実際値θ２ｐｖと小絵柄部判定値θｓとを比較し（ステップ５２５）、θ２ｐｖ＜θｓであれば、先のステップ５１９と同様にして、実際値θ２ｐｖをそのままθ２ｐｖ’としてメモリＭ２０に書き込む（ステップ５２６）。θ２ｐｖ≧θｓであれば、先のステップ５２０〜５２２と同様にして、メモリＭ７から補正係数αを読み出し（ステップ５２７）、この補正係数αを実際値θ２ｐｖに掛けて補正量を求め（ステップ５２８）、実際値θ２ｐｖにこの補正量を加えた値をθ２ｐｖ’としてメモリＭ２０に書き込む（ステップ５２９）。
【０１４６】
以下同様にして、ＣＰＵ１０は、ステップ５３０において全てのインキツボキーのポテンショメータ２１Ｄよりインキツボキーの開き量の実際値θｐｖの読み取りが確認されるまで、ステップ５２３〜５３０の動作を繰り返す。これにより、メモリＭ２０にはインキツボキーの開き量の補正値θ１ｐｖ’〜θｎｐｖ’が格納される。
【０１４７】
ここで、メモリＭ２０に格納されたインキツボキーの開き量の補正値θ１ｐｖ’〜θｎｐｖ’は、実際値θｐｖが小絵柄部判定値θｓよりも小さいものについては実質的には補正されておらず、実際値θｐｖが小絵柄部判定値θｓよりも大きいものだけが補正されている。すなわち、インキツボキー４−１〜４−ｎの開き量の実際値θ１〜θｎは、その対応するエリアが小絵柄部（θｐｖ＜θｓ）のものについては補正されないが、大中絵柄部（θｐｖ≧θｓ）のものについてのみ補正されて大きくなる。
【０１４８】
メモリＭ２０へのインキツボキーの開き量の補正値θ１ｐｖ’〜θｎｐｖ’の格納が完了すると（ステップ５３０のＹＥＳ）、ＣＰＵ１０は、メモリＭ２０からインキツボキーの開き量の補正値θ１ｐｖ’〜θｎｐｖ’を読み出し（ステップ５３１）、この読み出したインキツボキーの開き量の補正値θ１ｐｖ’〜θｎｐｖ’をインキツボキー駆動装置２１のインキツボキーモータドライバ２１Ａへ送る（ステップ５３２）。これにより、インキツボキーモータ２１Ｂが駆動され、印刷ユニット９におけるインキツボキー４−１〜４−ｎの開き量がθ１ｐｖ’〜θｎｐｖ’に合わせ込まれるようになる。
【０１４９】
〔動作例２：間欠停止＋インキツボローラの送り量の補正〕
上述した動作例１では、インキ呼出し動作を間欠的に停止させる場合、インキツボキーの開き量の実際値θ１ｐｖ〜θｎｐｖを絵柄面積率に応じて補正するようにしたが、インキツボローラ３の送り量の実際値ＲＳｐｖを絵柄面積率に応じて補正するようにしてもよい。
【０１５０】
以下に説明する動作例２では、インキツボローラ３の送り量の実際値ＲＳｐｖを大きくなるように補正することによって、インキツボキーの開き量が小さい小絵柄部へのインキの供給量の増大に比べ、インキツボキーの開き量が大きい大中絵柄部へのインキの供給量をより大きく増大させる。
【０１５１】
図２０はこの動作例２の要部を示すフローチャートである。このフローチャートは、図１８に示したフローチャートのステップ５１５に続くもので、ステップ５１５までは動作例１の場合と同じであるので、その説明は省略する。
【０１５２】
絵柄が少ない印刷物であるとの判断から、オペレータによって補正ボタン１３−１がオンとされると（図１８：ステップ５１５のＹＥＳ）、ＣＰＵ１０は、タコジェネレータ２２Ｄよりインキツボローラの送り量の実際値ＲＳｐｖを読み取る（ステップ５３３）。また、メモリＭ１０から補正係数βを読み出し（ステップ５３４）、この補正係数βをタコジェネレータ２２Ｄより読み取ったインキツボローラの送り量の実際値ＲＳｐｖに掛け、実際値ＲＳｐｖに対する補正量を求める（ステップ５３５）。
【０１５３】
そして、この補正量をタコジェネレータ２２Ｄより読み取ったインキツボローラの送り量の実際値ＲＳｐｖに加え、インキツボローラの送り量の補正値ＲＳｐｖ’（ＲＳｐｖ’＝（１＋β）・ＲＳｐｖ）を求め、メモリＭ２１に書き込む（ステップ５３６）。これにより、インキツボローラ３の送り量の実際値ＲＳｐｖは、その実際値ＲＳｐｖに補正係数βを掛けた値だけ大きくなるように補正される。
【０１５４】
次に、ＣＰＵ１０は、メモリＭ２１からインキツボローラの送り量の補正値ＲＳｐｖ’を読み出し（ステップ５３７）、この読み出したインキツボローラの送り量の補正値ＲＳｐｖ’をインキツボローラ駆動装置２２のインキツボローラモータドライバ２２Ａへ送る（ステップ５３８）。これにより、印刷時、印刷ユニット９におけるインキツボローラ３の送り量がＲＳｐｖ’に合わせ込まれるようになる。
【０１５５】
〔実施の形態６：自動方式〕
実施の形態２で説明した自動方式では、インキツボキー４の開き量の設定値θを補正したり、インキツボローラ３の送り量の設定値ＲＳを補正するようにした。これに対し、実施の形態６の自動方式では、インキツボキー４の開き量の実際値θｐｖを補正したり、インキツボローラ３の送り量の実際値ＲＳｐｖを補正する。また、インキツボキーの開き量の実際値θｐｖが小絵柄部判定値θｓよりも小さいインキツボキーの数をカウントし、このカウントしたインキツボキーの数がＫｓよりも大きい場合に、インキ呼出し回数の間引き運転が必要であると判断する。図２１にこの実施の形態６のインキ供給量制御装置のブロック図を示す。
【０１５６】
〔動作例１：間欠停止＋インキツボキーの開き量の補正〕
このインキ供給量制御装置における印刷開始前の特徴的な動作（動作例１）を図２２および図２３に分割して示したフローチャートに従って説明する。印刷ユニット９−１〜９−４のそれぞれにおいて、同様の動作が行われるので、ここでは１つの印刷ユニット９での動作例として説明する。
【０１５７】
〔絵柄データ、送り量データの読み取り、記憶〕
この実施の形態６においても、図７に示したステップ２０１〜２０５と対応するステップ６０１〜６０５の処理動作によって、メモリＭ１にインキツボキーの開き量の設定値θ１〜θｎを記憶し、メモリＭ２にインキツボローラの送り量の設定値ＲＳを記憶する。
【０１５８】
そして、メモリＭ１からインキツボキーの開き量の設定値θ１〜θｎを読み出し（ステップ６０６）、この読み出したインキツボキーの開き量の設定値θ１〜θｎをインキツボキー駆動装置２１のインキツボキーモータドライバ２１Ａへ送る（ステップ６０７）。これにより、インキツボキーモータ２１Ｂが駆動され、印刷ユニット９におけるインキツボキー４−１〜４−ｎの開き量がθ１〜θｎに合わせ込まれる。
【０１５９】
また、ＣＰＵ１０は、メモリＭ２からインキツボローラの送り量の設定値ＲＳを読み出し（ステップ６０８）、この読み出したインキツボローラの送り量の設定値ＲＳをインキツボローラ駆動装置２２のインキツボローラモータドライバ２２Ａへ送る（ステップ６０９）。これにより、印刷時、印刷ユニット９におけるインキツボローラ３の送り量がＲＳに合わせ込まれる。
【０１６０】
〔インキ呼出し動作の間欠停止の必要性判断〕
続いて、インキ呼出し動作の間欠停止を行うか否かを次のようにして判断する。ステップ６１０において、ＣＰＵ１０は、スイッチ群１３における自動設定スイッチ１３−２のオンを待つ。オペレータによって自動設定スイッチ１３−２がオンとされると（ステップ６１０のＹＥＳ）、ＣＰＵ１０は、小絵柄部数カウンタ２４のカウント値を零にリセットする（ステップ６１１）。
【０１６１】
そして、最初のインキツボキーのポテンショメータ２１Ｄよりインキツボキーの開き量の実際値θ１ｐｖを読み取る（ステップ６１２）。また、メモリＭ５から小絵柄部判定値θｓを読み出す（ステップ６１３）。そして、インキツボキーの開き量の実際値θ１ｐｖと小絵柄部判定値θｓとを比較し（ステップ６１４）、θ１ｐｖ＜θｓであれば、小絵柄部数カウンタ２４のカウント値を１アップする（ステップ６１５）。θ１ｐｖ≧θｓであれば、直ちにステップ６１６へ進む。
【０１６２】
すなわち、ＣＰＵ１０は、θ１ｐｖ＜θｓであれば（ステップ６１４のＹＥＳ）、インキツボキー４−１に対応する刷版７のエリアは小絵柄部であると判断し、小絵柄部数カウンタ２４のカウント値を１アップする。これに対し、θ１ｐｖ≧θｓであれば（ステップ６１４のＮＯ）、インキツボキー４−１に対応する刷版７のエリアは大中絵柄部であると判断し、小絵柄部数カウンタ２４のカウント値はアップせずに、直ちにステップ６１６へ進む。
【０１６３】
ステップ６１６において、ＣＰＵ１０は、次のインキツボキーのポテンショメータ２１Ｄよりインキツボキーの開き量の実際値θ２ｐｖを読み取る。また、メモリＭ５から小絵柄部判定値θｓを読み出す（ステップ６１７）。そして、インキツボキーの開き量の実際値θ２ｐｖと小絵柄部判定値θｓとを比較し（ステップ６１８）、θ２ｐｖ＜θｓであれば、先のステップ６１５と同様にして小絵柄部であると判断し、小絵柄部数カウンタ２４のカウント値を１アップする（ステップ６１９）。θ１ｐｖ≧θｓであれば、大中絵柄部であると判断し、直ちにステップ６２０へ進む。
【０１６４】
以下同様にして、ＣＰＵ１０は、ステップ６２０において全てのインキツボキーのポテンショメータ２１Ｄよりインキツボキーの開き量の実際値θｐｖの読み取りが確認されるまで、ステップ６１６〜６２０の動作を繰り返す。これにより、小絵柄部数カウンタ２４は、インキツボキー４−１〜４−ｎのうち、その開き量の実際値θｐｖがθｓより小さい小絵柄部と判断されたインキツボキーの数（小絵柄部数）をカウントすることになる。
【０１６５】
ＣＰＵ１０は、この小絵柄部数カウンタ２４によってカウントされた小絵柄部数ＫｍをメモリＭ１２に書き込み（ステップ６２１）、メモリＭ１３から小絵柄部数判定値Ｋｓを読み出し（ステップ６２２）、小絵柄部数Ｋｍと小絵柄部数判定値Ｋｓとを比較する（ステップ６２３）。
【０１６６】
Ｋｍ≦Ｋｓであれば（ステップ６２３のＹＥＳ）、ＣＰＵ１０は、印刷ユニット９の版胴８にセットされている刷版７は小絵柄部の数が少なく、インキ呼出し動作の間欠停止は不要であると判断し、一連の処理を終了する。
【０１６７】
これに対して、Ｋｍ＞Ｋｓである場合（ステップ６２３のＮＯ）、ＣＰＵ１０は、印刷ユニット９の版胴８にセットされている刷版７は小絵柄部の数が多く、インキ呼出し動作の間欠停止が必要であると判断する。
【０１６８】
この場合、ＣＰＵ１０は、メモリＭ４から停止回数Ｗを読み出し（ステップ６２４：図２３）、図８に示したステップ２２５〜２２７に対応するステップ６２５〜６２７の処理動作によって、呼出し停止用エアシリンダ駆動装置２３における呼出し停止開始用カウンタ２３Ａおよび呼出しカウンタリセット用カウンタ２３Ｂへ設定値Ｃ１および設定値Ｃ２をセットし、印刷ユニット９におけるインキ呼出しロール５のインキ呼出し動作の間欠停止の準備を整える。
【０１６９】
〔インキツボキーの開き量の補正〕
次に、ＣＰＵ１０は、最初のインキツボキーのポテンショメータ２１Ｄよりインキツボキーの開き量の実際値θ１ｐｖを読み取る（ステップ６２８）。また、メモリＭ５から小絵柄部判定値θｓを読み出す（ステップ６２９）。そして、この読み出したインキツボキーの開き量の実際値θ１ｐｖと小絵柄部判定値θｓとを比較し（ステップ６３０）、θ１ｐｖ＜θｓであればステップ６３１へ進み、θ１ｐｖ≧θｓであればステップ６３２へ進む。
【０１７０】
すなわち、θ１ｐｖ＜θｓであれば（ステップ６３０のＮＯ）、インキツボキー４−１に対応する刷版７のエリアは小絵柄部であると判断し、ポテンショメータ２１Ｄより読み取ったインキツボキーの開き量の実際値θ１ｐｖをそのままθ１ｐｖ’としてメモリＭ２０に書き込む（ステップ６３１）。
【０１７１】
これに対し、θ１ｐｖ≧θｓであれば（ステップ６３０のＹＥＳ）、インキツボキー４−１に対応する刷版７のエリアは大中絵柄部であると判断し、メモリＭ７から補正係数αを読み出し（ステップ６３２）、この補正係数αをポテンショメータ２１Ｄより読み取ったインキツボキーの開き量の実際値θ１ｐｖに掛け、実際値θ１ｐｖに対する補正量を求める（ステップ６３３）。
【０１７２】
そして、この補正量を実際値θ１ｐｖに加え、インキツボキーの開き量の補正値θ１ｐｖ’を求め、メモリＭ２０に書き込む（ステップ６３４）。これにより、対応するエリアが大中絵柄部であると判断されたインキツボキー４−１に対する開き量の実際値θ１ｐｖは、その実際値θ１ｐｖに補正係数αを掛けた値だけ大きくなるように補正される。
【０１７３】
次に、ＣＰＵ１０は、次のインキツボキーのポテンショメータ２１Ｄよりインキツボキーの開き量の実際値θ２ｐｖを読み出す（ステップ６３５）。また、メモリＭ５から小絵柄部判定値θｓを読み出す（ステップ６３６）。そして、インキツボキーの開き量の実際値θ２ｐｖと小絵柄部判定値θｓとを比較し（ステップ６３７）、θ２ｐｖ＜θｓであれば、先のステップ６３１と同様にして、実際値θ２ｐｖをそのままθ２ｐｖ’としてメモリＭ２０に書き込む（ステップ６３８）。
【０１７４】
θ２ｐｖ≧θｓであれば、先のステップ６３２〜６３４と同様にして、メモリＭ７から補正係数αを読み出し（ステップ６３９）、この補正係数αを実際値θ２ｐｖに掛けて補正量を求め（ステップ６４０）、この補正量を加えた実際値θ２ｐｖをθ２ｐｖ’としてメモリＭ２０に書き込む（ステップ６４１）。
【０１７５】
以下同様にして、ＣＰＵ１０は、ステップ６４２において全てのインキツボキーのポテンショメータ２１Ｄよりインキツボキーの開き量の実際値θｐｖの読み取りが確認されるまで、ステップ６３５〜６４１の動作を繰り返す。これにより、メモリＭ２０には、インキツボキーの開き量の補正値θ１ｐｖ’〜θｎｐｖ’が格納される。
【０１７６】
ここで、メモリＭ２０に格納されたインキツボキーの開き量の補正値θ１ｐｖ’〜θｎｐｖ’は、実際値θｐｖが小絵柄部判定値θｓよりも小さいものについては実質的には補正されておらず、実際値θｐｖが小絵柄部判定値θｓよりも大きいものだけが補正されている。すなわち、インキツボキー４−１〜４−ｎの開き量の実際値θ１ｐｖ〜θｎｐｖは、その対応するエリアが小絵柄部（θｐｖ＜θｓ）のものについては補正されないが、大中絵柄部（θｐｖ≧θｓ）のものについてのみ補正されて大きくなる。
【０１７７】
メモリＭ２０へのインキツボキーの開き量の補正値θ１ｐｖ’〜θｎｐｖ’の格納が完了すると（ステップ６４２のＹＥＳ）、ＣＰＵ１０は、メモリＭ２０からインキツボキーの開き量の補正値θ１ｐｖ’〜θｎｐｖ’を読み出し（ステップ６４３）、この読み出したインキツボキーの開き量の補正値θ１ｐｖ’〜θｎｐｖ’をインキツボキー駆動装置２１のインキツボキーモータドライバ２１Ａへ送る（ステップ６４４）。これにより、インキツボキーモータ２１Ｂが駆動され、印刷ユニット９におけるインキツボキー４−１〜４−ｎの開き量がθ１ｐｖ’〜θｎｐｖ’に合わせ込まれる。
【０１７８】
〔動作例２：間欠停止＋インキツボローラの送り量の補正〕
上述した動作例１では、インキ呼出し動作を間欠的に停止させる場合、インキツボキーの開き量の実際値θ１ｐｖ〜θｎｐｖを絵柄面積率に応じて補正するようにしたが、インキツボローラ３の送り量の実際値ＲＳｐｖを絵柄面積率に応じて補正するようにしてもよい。
【０１７９】
以下に説明する動作例２では、インキツボローラ３の送り量の実際値ＲＳを大きくなるように補正することによって、インキツボキーの開き量が小さい小絵柄部へのインキの供給量の増大に比べ、インキツボキーの開き量が大きい大中絵柄部へのインキの供給量をより大きく増大させる。
【０１８０】
図２４はこの動作例２の要部を示すフローチャートである。このフローチャートは、図２２に示したフローチャートのステップ６２３でＮＯと判断された後の処理に続くもので、ステップ６２３までは動作例１の場合と同じであるので、その説明は省略する。
【０１８１】
Ｋｍ＞Ｋｓであることが確認された場合（図２２：ステップ６２３のＮＯ）、ＣＰＵ１０は、印刷ユニット９−１の版胴８にセットされている刷版７は小絵柄部の数が多く、インキ呼出し動作の間欠停止が必要であると判断する。
【０１８２】
この場合、ＣＰＵ１０は、メモリＭ４から停止回数Ｗを読み出し（ステップ６４５）、この停止回数Ｗより呼出し停止用エアシリンダ駆動装置２３における呼出し停止開始用カウンタ２３Ａへの設定値Ｃ１および呼出しカウンタリセット用カウンタ２３Ｂへの設定値Ｃ２を求め、それぞれメモリＭ８およびＭ９に書き込む（ステップ６４６）。また、設定値Ｃ１を呼出し停止開始用カウンタ２３Ａへ、設定値Ｃ２を呼出しカウンタリセット用カウンタ２３Ｂへ送り、セットする（ステップ６４７、６４８）。
【０１８３】
次に、ＣＰＵ１０は、タコジェネレータ２２Ｄよりインキツボローラの送り量の実際値ＲＳｐｖを読み取る（ステップ６４９）。また、メモリＭ１０から補正係数βを読み出し（ステップ６５０）、この補正係数βをタコジェネレータ２２Ｄより読み取ったインキツボローラの送り量の実際値ＲＳｐｖに掛け、実際値ＲＳｐｖに対する補正量を求める（ステップ６５１）。そして、この補正量をタコジェネレータ２２Ｄより読み取ったインキツボローラの送り量の実際値ＲＳｐｖに加え、インキツボローラの送り量の補正値ＲＳｐｖ’を求め、メモリＭ２１に書き込む（ステップ６５２）。これにより、インキツボローラ３の送り量の実際値ＲＳｐｖは、その実際値ＲＳｐｖに補正係数βを掛けた値だけ大きくなるように補正される。
【０１８４】
次に、ＣＰＵ１０は、メモリＭ２１からインキツボローラの送り量の補正値ＲＳｐｖ’を読み出し（ステップ６５３）、この読み出したインキツボローラの送り量の補正値ＲＳｐｖ’をインキツボローラ駆動装置２２のインキツボローラモータドライバ２２Ａへ送る（ステップ６５４）。これにより、印刷時、印刷ユニット９におけるインキツボローラ３の送り量がＲＳｐｖ’に合わせ込まれるようになる。
【０１８５】
なお、上述した実施の形態１〜６では、インキツボローラ３とインキロール６−１との間にインキ呼出しロール５を設けた例で説明したが、インキツボローラ３からインキ着ロール６−２に至るロール群のいずれかをインキ呼出しロールとし、そのインキ呼出しロールの揺動を間欠的に停止させるようにしたものにも同様にして適用することができる。
【０１８６】
【発明の効果】
以上説明したことから明らかなように本発明によれば、インキ呼出しロール間欠停止手段によってインキ呼出しロールの揺動を間欠的に停止させる場合、インキツボキーに対するインキツボローラとの間の隙間量（インキツボキーの開き量）を補正するようにしたので、あるいはインキツボローラの回転量（インキツボローラの送り量）を補正するようにしたので、大中絵柄部へのインキの供給量を増大させ、小絵柄部でのインキの過剰供給と大中絵柄部でのインキ供給量の不足とを同時に解消し、オペレータの負担を軽減することが可能となる。
【図面の簡単な説明】
【図１】本発明に係る印刷機のインキ供給量制御装置の一実施の形態（実施の形態１）を示すブロック図である。
【図２】実施の形態１における印刷開始前の特徴的な動作（動作例１，動作例２）を説明するためのフローチャートである。
【図３】図２に続く実施の形態１の動作例１のフローチャートである。
【図４】インキツボローラの送り量を調整することによる絵柄面積率と印刷濃度との関係を示す図である。
【図５】図２に続く実施の形態１の動作例２のフローチャートである。
【図６】本発明に係る印刷機のインキ供給量制御装置の他の実施の形態（実施の形態２）を示すブロック図である。
【図７】実施の形態２における印刷開始前の特徴的な動作（動作例１，動作例２）を説明するためのフローチャートである。
【図８】図７に続く実施の形態２の動作例１のフローチャートである。
【図９】図７に続く実施の形態２の動作例２のフローチャートである。
【図１０】本発明に係る印刷機のインキ供給量制御装置の別の実施の形態（実施の形態３）を示すブロック図である。
【図１１】実施の形態３における印刷開始前の特徴的な動作（動作例１，動作例２）を説明するためのフローチャートである。
【図１２】図１１に続く実施の形態３の動作例１のフローチャートである。
【図１３】図１１に続く実施の形態３の動作例２のフローチャートである。
【図１４】本発明に係る印刷機のインキ供給量制御装置の別の実施の形態（実施の形態４）の具体例を示すブロック図である。
【図１５】図１４に示したインキ供給量制御装置においてインキ呼出し動作の間欠停止を行うか否かの判断動作を説明するためのフローチャートである。
【図１６】図１５に続く処理動作のフローチャートである。
【図１７】本発明に係る印刷機のインキ供給量制御装置の別の実施の形態（実施の形態５）を示すブロック図である。
【図１８】実施の形態５における印刷開始前の特徴的な動作（動作例１，動作例２）を説明するためのフローチャートである。
【図１９】図１８に続く実施の形態５の動作例１のフローチャートである。
【図２０】図１８に続く実施の形態５の動作例２のフローチャートである。
【図２１】本発明に係る印刷機のインキ供給量制御装置の別の実施の形態（実施の形態６）を示すブロック図である。
【図２２】実施の形態６における印刷開始前の特徴的な動作（動作例１，動作例２）を説明するためのフローチャートである。
【図２３】図２２に続く実施の形態６の動作例１のフローチャートである。
【図２４】図２２に続く実施の形態６の動作例２のフローチャートである。
【図２５】輪転印刷機における各色の印刷ユニット内のインキ供給装置（インカー）の要部を示す図である。
【図２６】４色輪転印刷機を示す側面図である。
【符号の説明】
１…インキツボ、２…インキ、３…インキツボローラ、４（４−１〜４−ｎ）…インキツボキー、５…インキ呼出しロール、６…インキローラ群、７…刷版、８…版胴、９(９−１〜９−４)…印刷ユニット、１０…ＣＰＵ，１１…ＲＯＭ，１２…ＲＡＭ，１３…スイッチ群、１３−１…補正ボタン、１３−２…自動設定スイッチ、１４…表示器、１５…ドライブ装置、１６…プリンタ、１７〜２０…入出カインターフェイス（Ｉ／Ｏ）、２１（２１−１〜２１−ｎ）…インキツボキー駆動装置、２１Ａ…インキツボキーモータドライバ、２１Ｂ…インキツボキーモータ、２１Ｃ…ロータリーエンコーダ、２１Ｄ…ポテンショメータ、２２（２２−１〜２２−４）…インキツボローラ駆動装置、２２Ａ…インキツボローラモータドライバ、２２Ｂ…インキツボローラモータ、２２Ｃ…ロータリーエンコーダ、２２Ｄ…タコジェネレータ、２３（２３−１〜２３−４）…呼出し停止用エアシリンダ駆動装置、２３Ａ…呼出し停止開始用カウンタ、２３Ｂ…呼出しカウンタリセット用カウンタ、２３Ｃ…フリップフロップ回路、２３Ｄ…呼出し停止用エアシリンダ、２４…小絵柄部カウンタ、２５…インキ呼出しカム回転検出用センサ、２６…開き量零のインキツボキー数用のカウンタ、Ｍ１…絵柄データ記憶用メモリ、Ｍ２…インキツボローラの送り量データ用メモリ、Ｍ３…絵柄面積率−インキツボキー開き量変換カーブ用メモリ、Ｍ４…停止回数用メモリ、Ｍ５…小絵柄判定値用メモリ、Ｍ６…補正したインキツボキーの開き量用メモリ、Ｍ７…インキツボキー開き量補正係数用メモリ、Ｍ８…呼出し停止開始用カウンタの実際値用メモリ、Ｍ９…呼出しカウンタリセット用カウンタの実際値用メモリ、Ｍ１０…インキツボローラの送り量補正係数用メモリ、Ｍ１１…補正したインキツボローラの送り量用メモリ、Ｍ１２…小絵柄部数カウンタ用メモリ、Ｍ１３…小絵柄部数判定値用メモリ、Ｍ１４…各印刷ユニットの全インキツボキーの数用メモリ、Ｍ１５…各印刷ユニットの全インキツボキーの数に占める小絵柄部の割合判定値用メモリ、Ｍ１６…小絵柄部の割合用メモリ、Ｍ１７…各印刷ユニットの印刷に使用するインキツボキーの数に占める小絵柄部の割合判定値用メモリ、Ｍ１８…各印刷ユニットの印刷に使用するインキツボキーの数用メモリ、Ｍ１９…開き量零のインキツボキー数用メモリ、Ｍ２０…補正したインキツボキーの開き量用メモリ、Ｍ２１…補正したインキツボローラの送り量用メモリ。
【図１】
2004202945.tif 000003
【図２】
2004202945.tif 000004
【図３】
2004202945.tif 000005
【図４】
2004202945.tif 000006
【図５】
2004202945.tif 000007
【図６】
2004202945.tif 000008
【図７】
2004202945.tif 000009
【図８】
2004202945.tif 000010
【図９】
2004202945.tif 000011
【図１０】
2004202945.tif 000012
【図１１】
2004202945.tif 000013
【図１２】
2004202945.tif 000014
【図１３】
2004202945.tif 000015
【図１４】
2004202945.tif 000016
【図１５】
2004202945.tif 000017
【図１６】
2004202945.tif 000018
【図１７】
2004202945.tif 000019
【図１８】
2004202945.tif 000020
【図１９】
2004202945.tif 000021
【図２０】
2004202945.tif 000022
【図２１】
2004202945.tif 000023
【図２２】
2004202945.tif 000024
【図２３】
2004202945.tif 000025
【図２４】
2004202945.tif 000026
【図２５】
2004202945.tif 000027
【図２６】
2004202945.tif 000028